(57)【要約】  本発明の実施形態は、通信分野に関し、ＲＲＵ間でチャネルを較正するための方法および装置を提供する。方法は、全帯域幅におけるＭ個のサブキャリアのうちの各サブキャリアについて、ＢＢＵが、基準チャネルおよびプリセットＲＲＵにおけるプリセットチャネルを用いることによりサブキャリア上で較正信号を送受信するよう基準ＲＲＵに命令する段階と、較正係数を計算する段階と、計算によって得たＭ個の較正係数に従って第１の対応関係を決定する段階とを含む。第１の対応関係は、各サブキャリアの周波数とサブキャリア上の、較正係数との間の対応関係を含み、２≦Ｍ＜Ｎであり、Ｎは全帯域幅におけるサブキャリアの総数であり、ＭおよびＮの両方は整数である。これにより、プリセットＲＲＵにおけるプリセットチャネルの較正中に全帯域幅における各サブキャリア上で較正信号が送受信される必要があるという理由で発生する、リソース消費が比較的多いという問題が解決され、較正信号のリソース消費および電力が減少する。
2019518381.tif 000002
【特許請求の範囲】
【請求項１】
無線リモートユニットＲＲＵ間でチャネルを較正するための方法であって、
全帯域幅におけるＭ個のサブキャリアのうちの各サブキャリアについて、ベースバンドユニットＢＢＵが、基準チャネルおよびプリセットＲＲＵにおけるプリセットチャネルを用いることにより較正信号を前記サブキャリア上で送受信するよう基準ＲＲＵに命令し、前記ＢＢＵが、前記サブキャリア上の、前記基準ＲＲＵにおける前記基準チャネルに対する前記プリセットＲＲＵにおける前記プリセットチャネルの較正係数を計算する段階であって、２≦Ｍ＜Ｎであり、Ｎは前記全帯域幅におけるサブキャリアの総数であり、ＭおよびＮの両方は整数である、段階と、
前記ＢＢＵが、計算によって得たＭ個の較正係数に従って第１の対応関係を決定する段階であって、前記第１の対応関係は、前記全帯域幅における各サブキャリアの周波数と第１の較正係数との間の対応関係を含み、前記第１の較正係数は、前記サブキャリア上の、前記基準ＲＲＵにおける前記基準チャネルに対する前記プリセットＲＲＵにおける前記プリセットチャネルの前記較正係数である、段階と、
前記ＢＢＵが、前記第１の対応関係に従って、各サブキャリア上の、前記プリセットＲＲＵにおける前記プリセットチャネルの送受信応答比を較正する段階と
を備える方法。
【請求項２】
前記ＢＢＵが、計算によって得たＭ個の較正係数に従って第１の対応関係を決定する前記段階は、
前記ＢＢＵが、前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定する段階と、
前記ＢＢＵが、前記初期位相および前記遅延に従って前記第１の対応関係を決定する段階と
を有する、
請求項１に記載の方法。
【請求項３】
前記ＢＢＵが、前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定する前記段階は、
前記Ｍ個の較正係数のうちの各較正係数について、前記ＢＢＵが前記較正係数の位相を決定する段階と、
前記ＢＢＵが、前記Ｍ個の位相と、各較正係数に対応する前記サブキャリアの周波数とに従って、前記全帯域幅における前記基準ＲＲＵにおける前記基準チャネルに対する前記プリセットＲＲＵにおける前記プリセットチャネルの前記較正係数の前記初期位相および前記遅延を決定する段階と
を有する、
請求項２に記載の方法。
【請求項４】
前記ＢＢＵが、前記初期位相および前記遅延に従って前記第１の対応関係を決定する前記段階は、
前記ＢＢＵが、前記初期位相と、前記遅延と、Ｎ個の前記サブキャリアのうちの各サブキャリアの周波数ｆｎとに従って、前記全帯域幅における前記基準ＲＲＵにおける前記基準チャネルに対する前記プリセットＲＲＵにおける前記プリセットチャネルの前記較正係数の位相φｆｎを決定する段階であって、１≦ｎ≦Ｎであり、ｎは整数である、段階と、
前記ＢＢＵが前記位相φｆｎに従って前記第１の対応関係を決定する段階と
を有する、
請求項２または３に記載の方法。
【請求項５】
前記Ｍ個のサブキャリアのうちの任意の２つのサブキャリアの周波数間の差が、予め設定された周波数閾値未満である、
請求項１から４のいずれか一項に記載の方法。
【請求項６】
前記プリセットＲＲＵは、少なくとも２つのプリセットチャネルを含み、
前記ＢＢＵが、前記サブキャリア上の、前記基準ＲＲＵにおける前記基準チャネルに対する前記プリセットＲＲＵにおける前記プリセットチャネルの較正係数を計算する前記段階は、
前記ＢＢＵが、前記プリセットチャネルに対応する前記サブキャリア上の、前記基準ＲＲＵにおける前記基準チャネルに対する各プリセットチャネルの較正係数を同じ時間ドメインリソースで計算する段階であって、前記プリセットＲＲＵにおける異なるプリセットチャネルに対応するサブキャリアの周波数は異なる、段階
を有する、
請求項１から４のいずれか一項に記載の方法。
【請求項７】
Ｋ個のＲＲＵのうちの少なくとも１つのＲＲＵと他のＲＲＵとの間の信号品質値が予め設定された閾値よりも大きい場合、前記ＢＢＵが、前記Ｋ個のＲＲＵのうちの他のＲＲＵとの間で最大信号品質値を有するＲＲＵを前記基準ＲＲＵとして用い、前記基準ＲＲＵにおける任意のチャネルを前記基準チャネルとして用い、前記Ｋ個のＲＲＵのうちの前記他のＲＲＵを前記プリセットＲＲＵとして用いる段階であって、Ｋ≧３であり、Ｋは整数である、段階をさらに備える、
請求項１から６のいずれか一項に記載の方法。
【請求項８】
少なくとも２つのプリセットＲＲＵが含まれ、
前記ＢＢＵが、前記サブキャリア上の、前記基準ＲＲＵにおける前記基準チャネルに対する前記プリセットＲＲＵにおける前記プリセットチャネルの較正係数を計算する前記段階は、
前記ＢＢＵが、前記プリセットＲＲＵにおける前記プリセットチャネルに対応する前記サブキャリア上の、前記基準ＲＲＵにおける前記基準チャネルに対する各プリセットＲＲＵにおける前記プリセットチャネルの較正係数を前記同じ時間ドメインリソースで計算する段階であって、異なるプリセットＲＲＵにおける前記プリセットチャネルに対応するサブキャリアの周波数は異なる、段階
を有する、
請求項７に記載の方法。
【請求項９】
Ｋ個のＲＲＵのうちの各ＲＲＵと２つの近接するＲＲＵとの間の信号品質値が予め設定された閾値よりも大きい場合、前記ＢＢＵが、前記Ｋ個のＲＲＵのうちの１つおきのＲＲＵを前記基準ＲＲＵとして用い、前記基準ＲＲＵにおける任意のチャネルを前記基準チャネルとして用い、前記Ｋ個のＲＲＵのうちの他のＲＲＵを前記プリセットＲＲＵとして用いる段階であって、各基準ＲＲＵは、前記基準ＲＲＵに隣接する２つのＲＲＵに対応する基準ＲＲＵであり、Ｋ≧３である、段階
をさらに備え、
前記ＢＢＵが、前記第１の対応関係に従って、各サブキャリア上の、前記プリセットＲＲＵにおける前記プリセットチャネルの送受信応答比を較正する前記段階は、
前記ＢＢＵが、前記プリセットＲＲＵにおける前記プリセットチャネルに対応する基準ＲＲＵにおける基準チャネルに対する前記プリセットＲＲＵにおける前記プリセットチャネルの前記第１の対応関係に従って、一次基準ＲＲＵにおける前記基準チャネルに対する各プリセットＲＲＵにおける前記プリセットチャネルの第２の対応関係を決定する段階であって、前記第２の対応関係は、前記全帯域幅における各サブキャリアの前記周波数と第２の較正係数との間の対応関係を含み、前記第２の較正係数は、前記サブキャリア上の、前記一次基準ＲＲＵにおける前記基準チャネルに対する前記プリセットＲＲＵにおける前記プリセットチャネルの較正係数であり、前記一次基準ＲＲＵは、前記Ｋ個のＲＲＵのうちの任意のＲＲＵである、段階と、
前記ＢＢＵが、決定された前記第２の対応関係に従って、各サブキャリア上の、前記プリセットＲＲＵにおける前記プリセットチャネルの前記送受信応答比を較正する段階と
を有する、
請求項１から６のいずれか一項に記載の方法。
【請求項１０】
少なくとも２つのプリセットＲＲＵが含まれ、
前記ＢＢＵが、前記サブキャリア上の、前記基準ＲＲＵにおける前記基準チャネルに対する前記プリセットＲＲＵにおける前記プリセットチャネルの較正係数を計算する前記段階は、
前記ＢＢＵが、プリセット基準チャネルに対する各プリセットＲＲＵにおける前記プリセットチャネルの較正係数を前記同じ時間ドメインリソースで計算する段階であって、前記較正係数は、前記プリセットＲＲＵにおける前記プリセットチャネルに対応するサブキャリア上の、前記プリセット基準チャネルに対する前記プリセットＲＲＵにおける前記プリセットチャネルの較正係数であり、前記プリセット基準チャネルは、前記プリセットＲＲＵに対応する基準ＲＲＵにおける基準チャネルであり、異なるプリセットＲＲＵにおける前記プリセットチャネルに対応するサブキャリアの周波数は異なる、段階
を有する、
請求項９に記載の方法。
【請求項１１】
前記プリセットＲＲＵにおける前記プリセットチャネルに対応する前記Ｍ個のサブキャリアの周波数は、前記プリセットＲＲＵが位置するクラスタに隣接するクラスタにおけるＲＲＵにおけるチャネルに対応するサブキャリアの周波数とは異なり、クラスタは、チャネルの必要送受信応答比が同じであるＲＲＵのセットである、
請求項１から１０のいずれか一項に記載の方法。
【請求項１２】
前記全帯域幅におけるＪ個のサブキャリアのうちの各サブキャリアについて、前記サブキャリア上の、前記基準ＲＲＵにおける前記基準チャネルに対する前記プリセットＲＲＵにおける前記プリセットチャネルの較正係数を計算する段階であって、１≦Ｊ≦Ｎであり、Ｊは整数である、段階と、
前記Ｊ個の較正係数の初期位相に従って、前記全帯域幅における前記基準ＲＲＵにおける前記基準チャネルに対する前記プリセットＲＲＵにおける前記プリセットチャネルの前記較正係数の更新済み初期位相を決定する段階と、
前記更新済み初期位相および前記遅延に従って前記第１の対応関係を更新する段階と
をさらに備える、
請求項１から１１のいずれか一項に記載の方法。
【請求項１３】
無線リモートユニットＲＲＵ間でチャネルを較正するための装置であって、
プロセッサと、前記プロセッサに接続されたメモリとを備え、
前記メモリは、少なくとも１つの命令を格納するように構成され、
前記命令は、命令後に前記プロセッサにより実行され、
前記プロセッサは、全帯域幅におけるＭ個のサブキャリアのうちの各サブキャリアについて、基準チャネルおよびプリセットＲＲＵにおけるプリセットチャネルを用いることにより前記サブキャリア上で較正信号を送受信するよう基準ＲＲＵに命令し、前記サブキャリア上の、前記基準ＲＲＵにおける前記基準チャネルに対する前記プリセットＲＲＵにおける前記プリセットチャネルの較正係数を計算するように構成され、２≦Ｍ＜Ｎであり、Ｎは前記全帯域幅におけるサブキャリアの総数であり、ＭおよびＮの両方は整数であり、
前記プロセッサはさらに、計算によって得たＭ個の較正係数に従って第１の対応関係を決定するように構成され、前記第１の対応関係は、前記全帯域幅における各サブキャリアの周波数と第１の較正係数との間の対応関係を含み、前記第１の較正係数は、前記サブキャリア上の、前記基準ＲＲＵにおける前記基準チャネルに対する前記プリセットＲＲＵにおける前記プリセットチャネルの前記較正係数であり、
前記プロセッサはさらに、前記第１の対応関係に従って各サブキャリア上の、前記プリセットＲＲＵにおける前記プリセットチャネルの送受信応答比を較正するように構成される、
装置。
【請求項１４】
前記プロセッサはさらに、
前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定し、
前記初期位相および前記遅延に従って前記第１の対応関係を決定する
ように構成される、
請求項１３に記載の装置。
【請求項１５】
前記プロセッサはさらに、
前記Ｍ個の較正係数のうちの各較正係数について、前記較正係数の位相を決定し、
前記Ｍ個の位相と、各較正係数に対応するサブキャリアの周波数とに従って、前記全帯域幅における前記基準ＲＲＵにおける前記基準チャネルに対する前記プリセットＲＲＵにおける前記プリセットチャネルの前記較正係数の前記初期位相および前記遅延を決定する
ように構成される、
請求項１４に記載の装置。
【請求項１６】
前記プロセッサはさらに、
前記初期位相と、前記遅延と、Ｎ個の前記サブキャリアのうちの各サブキャリアの周波数ｆｎとに従って、前記全帯域幅における前記基準ＲＲＵにおける前記基準チャネルに対する前記プリセットＲＲＵにおける前記プリセットチャネルの前記較正係数の位相φｆｎを決定し、前記位相φｆｎに従って前記第１の対応関係を決定するように構成され、１≦ｎ≦Ｎであり、Ｎは整数である、
請求項１４または１５に記載の装置。
【請求項１７】
前記Ｍ個のサブキャリアのうちの任意の２つのサブキャリアの周波数間の差は、予め設定された周波数閾値未満である、
請求項１３から１６のいずれか一項に記載の装置。
【請求項１８】
前記プリセットＲＲＵは、少なくとも２つのプリセットチャネルを含み、
前記プロセッサはさらに、前記プリセットチャネルに対応する前記サブキャリア上の、前記基準ＲＲＵにおける前記基準チャネルに対する各プリセットチャネルの較正係数を同じ時間ドメインリソースで計算するように構成され、
前記プリセットＲＲＵにおける異なるプリセットチャネルに対応するサブキャリアの周波数は異なる、
請求項１３から１６のいずれか一項に記載の装置。
【請求項１９】
前記プロセッサはさらに、Ｋ個のＲＲＵのうちの少なくとも１つのＲＲＵと他のＲＲＵとの間の信号品質値が予め設定された閾値よりも大きい場合、前記Ｋ個のＲＲＵのうちの他のＲＲＵとの間で最大信号品質値を有するＲＲＵを前記基準ＲＲＵとして用い、前記基準ＲＲＵにおける任意のチャネルを前記基準チャネルとして用い、前記Ｋ個のＲＲＵのうちの前記他のＲＲＵを前記プリセットＲＲＵとして用いるように構成され、
Ｋ≧３であり、Ｋは整数である、
請求項１３から１８のいずれか一項に記載の装置。
【請求項２０】
少なくとも２つのプリセットＲＲＵが含まれ、
前記プロセッサはさらに、前記プリセットＲＲＵにおける前記プリセットチャネルに対応する前記サブキャリア上の、前記基準ＲＲＵにおける前記基準チャネルに対する各プリセットＲＲＵにおける前記プリセットチャネルの較正係数を前記同じ時間ドメインリソースで計算するように構成され、
異なるプリセットＲＲＵにおける前記プリセットチャネルに対応するサブキャリアの周波数は異なる、
請求項１９に記載の装置。
【請求項２１】
前記プロセッサはさらに、Ｋ個のＲＲＵのうちの各ＲＲＵと２つの近接するＲＲＵとの間の信号品質値が予め設定された閾値よりも大きい場合、前記Ｋ個のＲＲＵのうちの１つおきのＲＲＵを前記基準ＲＲＵとして用い、前記基準ＲＲＵにおける任意のチャネルを前記基準チャネルとして用い、前記Ｋ個のＲＲＵのうちの他のＲＲＵを前記プリセットＲＲＵとして用いるように構成され、
各基準ＲＲＵは、前記基準ＲＲＵに隣接する２つのＲＲＵに対応する基準ＲＲＵであり、Ｋ≧３であり、
前記プロセッサはさらに、前記プリセットＲＲＵにおける前記プリセットチャネルに対応する基準ＲＲＵにおける基準チャネルに対する前記プリセットＲＲＵにおける前記プリセットチャネルの前記第１の対応関係に従って、一次基準ＲＲＵにおける前記基準チャネルに対する各プリセットＲＲＵにおける前記プリセットチャネルの第２の対応関係を決定するように構成され、
前記第２の対応関係は、前記全帯域幅における各サブキャリアの前記周波数と第２の較正係数との間の対応関係を含み、前記第２の較正係数は、前記サブキャリア上の、前記一次基準ＲＲＵにおける前記基準チャネルに対する前記プリセットＲＲＵにおける前記プリセットチャネルの較正係数であり、前記一次基準ＲＲＵは、前記Ｋ個のＲＲＵのうちの任意のＲＲＵであり、
前記プロセッサはさらに、決定された前記第２の対応関係に従って、各サブキャリア上の、前記プリセットＲＲＵにおける前記プリセットチャネルの前記送受信応答比を較正するように構成される、
請求項１３から１８のいずれか一項に記載の装置。
【請求項２２】
少なくとも２つのプリセットＲＲＵが含まれ、
前記プロセッサはさらに、プリセット基準チャネルに対する各プリセットＲＲＵにおける前記プリセットチャネルの較正係数を前記同じ時間ドメインリソースで計算するように構成され、
前記較正係数は、前記プリセットＲＲＵにおける前記プリセットチャネルに対応するサブキャリア上の、前記プリセット基準チャネルに対する前記プリセットＲＲＵにおける前記プリセットチャネルの較正係数であり、
前記プリセット基準チャネルは、前記プリセットＲＲＵに対応する基準ＲＲＵにおける基準チャネルであり、
異なるプリセットＲＲＵにおける前記プリセットチャネルに対応するサブキャリアの周波数は異なる、
請求項２１に記載の装置。
【請求項２３】
前記プリセットＲＲＵにおける前記プリセットチャネルに対応する前記Ｍ個のサブキャリアの周波数は、前記プリセットＲＲＵが位置するクラスタに隣接するクラスタにおけるＲＲＵにおけるチャネルに対応するサブキャリアの周波数とは異なり、クラスタは、チャネルの必要送受信応答比が同じであるＲＲＵのセットである、
請求項１３から２２のいずれか一項に記載の装置。
【請求項２４】
前記プロセッサはさらに、前記全帯域幅におけるＪ個のサブキャリアのうちの各サブキャリアについて、前記サブキャリア上の、前記基準ＲＲＵにおける前記基準チャネルに対する前記プリセットＲＲＵにおける前記プリセットチャネルの較正係数を計算するように構成され、１≦Ｊ≦Ｎであり、Ｊは整数であり、
前記プロセッサはさらに、前記Ｊ個の較正係数の初期位相に従って、前記全帯域幅における前記基準ＲＲＵにおける前記基準チャネルに対する前記プリセットＲＲＵにおける前記プリセットチャネルの前記較正係数の更新済み初期位相を決定するように構成され、
前記プロセッサはさらに、前記更新済み初期位相および前記遅延に従って前記第１の対応関係を更新するように構成される、
請求項１３から２３のいずれか一項に記載の装置。
【請求項２５】
無線リモートユニットＲＲＵ間でチャネルを較正するための装置であって、
処理ユニットを備え、
前記処理ユニットは、全帯域幅におけるＭ個のサブキャリアのうちの各サブキャリアについて、基準チャネルおよびプリセットＲＲＵにおけるプリセットチャネルを用いることにより前記サブキャリア上で較正信号を送受信するよう基準ＲＲＵに命令し、前記サブキャリア上の、前記基準ＲＲＵにおける前記基準チャネルに対する前記プリセットＲＲＵにおける前記プリセットチャネルの較正係数を計算するように構成され、２≦Ｍ＜Ｎであり、Ｎは前記全帯域幅におけるサブキャリアの総数であり、ＭおよびＮの両方は整数であり、
前記処理ユニットはさらに、計算によって得たＭ個の較正係数に従って第１の対応関係を決定するように構成され、前記第１の対応関係は、前記全帯域幅における各サブキャリアの周波数と第１の較正係数との間の対応関係を含み、前記第１の較正係数は、前記サブキャリア上の、前記基準ＲＲＵにおける前記基準チャネルに対する前記プリセットＲＲＵにおける前記プリセットチャネルの前記較正係数であり、
前記処理ユニットはさらに、前記第１の対応関係に従って各サブキャリア上の、前記プリセットＲＲＵにおける前記プリセットチャネルの送受信応答比を較正するように構成される、
装置。
【請求項２６】
前記処理ユニットはさらに、
前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定し、
前記初期位相および前記遅延に従って前記第１の対応関係を決定する
ように構成される、
請求項２５に記載の装置。
【請求項２７】
前記処理ユニットはさらに、
前記Ｍ個の較正係数のうちの各較正係数について、前記較正係数の位相を決定し、
前記Ｍ個の位相と、各較正係数に対応するサブキャリアの周波数とに従って、前記全帯域幅における前記基準ＲＲＵにおける前記基準チャネルに対する前記プリセットＲＲＵにおける前記プリセットチャネルの前記較正係数の前記初期位相および前記遅延を決定する
ように構成される、
請求項２６に記載の装置。
【請求項２８】
前記処理ユニットはさらに、前記初期位相と、前記遅延と、Ｎ個の前記サブキャリアのうちの各サブキャリアの周波数ｆｎとに従って、前記全帯域幅における前記基準ＲＲＵにおける前記基準チャネルに対する前記プリセットＲＲＵにおける前記プリセットチャネルの前記較正係数の位相φｆｎを決定し、前記位相φｆｎに従って前記第１の対応関係を決定するように構成され、１≦ｎ≦Ｎであり、ｎは整数である、
請求項２６または２７に記載の装置。
【請求項２９】
前記Ｍ個のサブキャリアのうちの任意の２つのサブキャリアの周波数間の差は、予め設定された周波数閾値未満である、
請求項２５から２８のいずれか一項に記載の装置。
【請求項３０】
前記プリセットＲＲＵは、少なくとも２つのプリセットチャネルを含み、
前記処理ユニットはさらに、前記プリセットチャネルに対応する前記サブキャリア上の、前記基準ＲＲＵにおける前記基準チャネルに対する各プリセットチャネルの較正係数を同じ時間ドメインリソースで計算するように構成され、
前記プリセットＲＲＵにおける異なるプリセットチャネルに対応するサブキャリアの周波数は異なる、
請求項２５から２８のいずれか一項に記載の装置。
【請求項３１】
前記処理ユニットはさらに、Ｋ個のＲＲＵのうちの少なくとも１つのＲＲＵと他のＲＲＵとの間の信号品質値が予め設定された閾値よりも大きい場合、前記Ｋ個のＲＲＵのうちの他のＲＲＵとの間で最大信号品質値を有するＲＲＵを前記基準ＲＲＵとして用い、前記基準ＲＲＵにおける任意のチャネルを前記基準チャネルとして用い、前記Ｋ個のＲＲＵのうちの前記他のＲＲＵを前記プリセットＲＲＵとして用いるように構成され、
Ｋ≧３であり、Ｋは整数である、
請求項２５から３０のいずれか一項に記載の装置。
【請求項３２】
少なくとも２つのプリセットＲＲＵが含まれ、
前記処理ユニットはさらに、前記プリセットＲＲＵにおける前記プリセットチャネルに対応する前記サブキャリア上の、前記基準ＲＲＵにおける前記基準チャネルに対する各プリセットＲＲＵにおける前記プリセットチャネルの較正係数を前記同じ時間ドメインリソースで計算するように構成され、
異なるプリセットＲＲＵにおける前記プリセットチャネルに対応するサブキャリアの周波数は異なる、
請求項３１に記載の装置。
【請求項３３】
前記処理ユニットはさらに、Ｋ個のＲＲＵのうちの各ＲＲＵと２つの近接するＲＲＵとの間の信号品質値が予め設定された閾値よりも大きい場合、前記Ｋ個のＲＲＵのうちの１つおきのＲＲＵを前記基準ＲＲＵとして用い、前記基準ＲＲＵにおける任意のチャネルを前記基準チャネルとして用い、前記Ｋ個のＲＲＵのうちの他のＲＲＵを前記プリセットＲＲＵとして用いるように構成され、
各基準ＲＲＵは、前記基準ＲＲＵに隣接する２つのＲＲＵに対応する基準ＲＲＵであり、Ｋ≧３であり、
前記処理ユニットはさらに、前記プリセットＲＲＵにおける前記プリセットチャネルに対応する基準ＲＲＵにおける基準チャネルに対する前記プリセットＲＲＵにおける前記プリセットチャネルの前記第１の対応関係に従って、一次基準ＲＲＵにおける前記基準チャネルに対する各プリセットＲＲＵにおける前記プリセットチャネルの第２の対応関係を決定するように構成され、
前記第２の対応関係は、前記全帯域幅における各サブキャリアの前記周波数と第２の較正係数との間の対応関係を含み、前記第２の較正係数は、前記サブキャリア上の、前記一次基準ＲＲＵにおける前記基準チャネルに対する前記プリセットＲＲＵにおける前記プリセットチャネルの較正係数であり、前記一次基準ＲＲＵは、前記Ｋ個のＲＲＵのうちの任意のＲＲＵであり、
前記処理ユニットはさらに、決定された前記第２の対応関係に従って、各サブキャリア上の、前記プリセットＲＲＵにおける前記プリセットチャネルの前記送受信応答比を較正するように構成される、
請求項２５から３０のいずれか一項に記載の装置。
【請求項３４】
少なくとも２つのプリセットＲＲＵが含まれ、
前記処理ユニットはさらに、プリセット基準チャネルに対する各プリセットＲＲＵにおける前記プリセットチャネルの較正係数を前記同じ時間ドメインリソースで計算するように構成され、
前記較正係数は、前記プリセットＲＲＵにおける前記プリセットチャネルに対応するサブキャリア上の、前記プリセット基準チャネルに対する前記プリセットＲＲＵにおける前記プリセットチャネルの較正係数であり、
前記プリセット基準チャネルは、前記プリセットＲＲＵに対応する基準ＲＲＵにおける基準チャネルであり、
異なるプリセットＲＲＵにおける前記プリセットチャネルに対応するサブキャリアの周波数は異なる、
請求項３３に記載の装置。
【請求項３５】
前記プリセットＲＲＵにおける前記プリセットチャネルに対応する前記Ｍ個のサブキャリアの周波数は、前記プリセットＲＲＵが位置するクラスタに隣接するクラスタにおけるＲＲＵにおけるチャネルに対応するサブキャリアの周波数とは異なり、クラスタは、チャネルの必要送受信応答比が同じであるＲＲＵのセットである、
請求項２５から３４のいずれか一項に記載の装置。
【請求項３６】
前記処理ユニットはさらに、前記全帯域幅におけるＪ個のサブキャリアのうちの各サブキャリアについて、前記サブキャリア上の、前記基準ＲＲＵにおける前記基準チャネルに対する前記プリセットＲＲＵにおける前記プリセットチャネルの較正係数を計算するように構成され、１≦Ｊ≦Ｎであり、Ｊは整数であり、
前記処理ユニットはさらに、前記Ｊ個の較正係数の初期位相に従って、前記全帯域幅における前記基準ＲＲＵにおける前記基準チャネルに対する前記プリセットＲＲＵにおける前記プリセットチャネルの前記較正係数の更新済み初期位相を決定するように構成され、
前記処理ユニットはさらに、前記更新済み初期位相および前記遅延に従って前記第１の対応関係を更新するように構成される、
請求項２５から３５のいずれか一項に記載の装置。
【発明の詳細な説明】
【技術分野】
【０００１】
本発明は、通信分野、特に、ＲＲＵ間でチャネルを較正するための方法および装置に関する。
【背景技術】
【０００２】
共同伝送（Ｊｏｉｎｔ  Ｔｒａｎｓｍｉｓｓｉｏｎ、ＪＴ）伝送技術において、信号を同じ端末装置へ連携して送信するために用いられる複数のセルが、協調セルセットを形成する。協調セルセットにおける各セルは協調セルである。基地局が、複数の協調セルの複数のチャネルを用いることにより、この信号を端末装置へ送信する。時分割複信（Ｔｉｍｅ  Ｄｉｖｉｓｉｏｎ  Ｄｕｐｌｅｘｉｎｇ、ＴＤＤ）モードでは、ＴＤＤモードにおけるアップリンクチャネルおよびダウンリンクチャネルの相反性に従って、協調セルの当該チャネルを用いることにより送信される信号に対して、端末装置側で同相加算が実行される。これにより、が端末装置の受信した信号の品質が改善され、システムのスループットが改善される。実際のシステムでは、基地局の異なるチャネルが、アップリンクチャネルおよびダウンリンクチャネル用にそれぞれ導入され、これらチャネルは通常、異なる応答を有する。従って、ＴＤＤモードにおけるアップリンクチャネルおよびダウンリンクチャネルの相反性を保証するために、これらのチャネルは、アンテナに対応する送受信チャネルの応答比が同じになるように較正される必要がある。
【０００３】
ＬＴＥシステムにおける分散型基地局は、ベースバンドユニット（Ｂａｓｅ  Ｂａｎｄ  Ｕｎｉｔ、ＢＢＵ）および無線リモートユニット（Ｒａｄｉｏ  Ｒｅｍｏｔｅ  Ｕｎｉｔ、ＲＲＵ）を含む。ＲＲＵは、信号を送受信するために用いられる協調セルにおけるユニットである。協調セルセットは複数のＲＲＵを含む。協調セルセットにおける複数のＲＲＵは、チャネルを用いることにより同じ信号を端末装置へ送信するために用いられる。複数のＲＲＵは、同じ分散型基地局における複数のＲＲＵまたは異なる分散型基地局における複数のＲＲＵであり得る。
【０００４】
協調セルセットにおける複数のＲＲＵ間でチャネルが較正されるべき場合、あるＲＲＵが基準ＲＲＵとして選択され、基準ＲＲＵにおけるあるチャネルが基準チャネルとして選択され、基準ＲＲＵにおける基準チャネルの送受信応答比が、プリセットＲＲＵにおけるプリセットチャネルの送受信応答比を較正するための基準として用いられる。プリセットＲＲＵは、協調セルセットに含まれる全てのＲＲＵにおける、基準ＲＲＵとは異なる別のＲＲＵである。プリセットＲＲＵにおけるあるチャネルがプリセットチャネルである。あるＲＲＵ１が基準ＲＲＵ、このＲＲＵ１におけるあるチャネル１が基準チャネル、あるＲＲＵ２におけるあるチャネル１が、プリセットＲＲＵにおける較正される必要があるプリセットチャネルであると仮定する。ＲＲＵ１は、チャネル１を用いることにより、特定の時点で、動作帯域幅における任意のサブキャリア上で較正基準信号Ｓ１をＲＲＵ２におけるチャネル１へ送信する。これは、ＲＲＵ２がチャネル１を用いることにより、サブキャリア上で信号Ｙ１を受信するものと仮定する。ＲＲＵ２は、チャネル１を用いることにより、別の特定の時点で、サブキャリア上で較正基準信号Ｓ２をＲＲＵ１へ送信する。これは、ＲＲＵ１がチャネル１を用いることにより、サブキャリア上で信号Ｙ２を受信するものと仮定する。次に、ＢＢＵは、計算によって、ＲＲＵ１におけるチャネル１について、サブキャリア上の、ＲＲＵ１におけるチャネル１に対するＲＲＵ２におけるチャネル１の較正係数α１，２を得る。
【数１】
2019518381.tif 000003
【０００５】
ＢＢＵは、較正係数に従って、サブキャリア上の、ＲＲＵ２におけるチャネル１の送受信応答比を較正する。複数のプリセットチャネルが、基準ＲＲＵにおける基準チャネルに従って較正される必要がある場合、基準ＲＲＵは、前述の方法を用いることにより、全帯域幅における異なるプリセットチャネルを連続的に較正する。複数のプリセットチャネルは、同じプリセットＲＲＵにおける複数のチャネルまたは異なるプリセットＲＲＵにおける複数のチャネルであり得る。この方式において、全てのＲＲＵ間でのチャネルの較正が実装される。
【０００６】
２つのＲＲＵの間のチャネルが較正されるべき場合、各サブキャリア上の較正係数α１，２を計算すべく、２つのＲＲＵの間のチャネルを用いることにより、較正信号が、動作帯域幅における各サブキャリア上で送受信される必要がある。結果的に、比較的多数のリソースが消費される。
【発明の概要】
【０００７】
本発明の実施形態は、ＲＲＵ間でのチャネルの較正中に各サブキャリア上で較正信号を送受信するようＢＢＵがＲＲＵに命令する必要があるという理由で発生する、リソース消費が比較的多いという問題を解決すべく、ＲＲＵ間でチャネルを較正するための方法および装置を提供する。技術的解決手段は以下のとおりである。
【０００８】
第１の態様によれば、ＲＲＵ間でチャネルを較正するための方法が提供される。方法は、
全帯域幅におけるＭ個のサブキャリアのうちの各サブキャリアについて、ＢＢＵが、基準チャネルおよびプリセットＲＲＵにおけるプリセットチャネルを用いることにより較正信号をサブキャリア上で送受信するよう基準ＲＲＵに命令し、ＢＢＵが、サブキャリア上の、基準ＲＲＵにおける基準チャネルに対するプリセットＲＲＵにおけるプリセットチャネルの較正係数を計算する段階であって、２≦Ｍ＜Ｎであり、Ｎは全帯域幅におけるサブキャリアの総数であり、ＭおよびＮの両方は整数である、段階と、
ＢＢＵが、計算によって得たＭ個の較正係数に従って第１の対応関係を決定する段階であって、第１の対応関係は、全帯域幅における各サブキャリアの周波数と第１の較正係数との間の対応関係を含み、第１の較正係数は、サブキャリア上の、基準ＲＲＵにおける基準チャネルに対するプリセットＲＲＵにおけるプリセットチャネルの較正係数である、段階と、
ＢＢＵが、第１の対応関係に従って、各サブキャリア上の、プリセットＲＲＵにおけるプリセットチャネルの送受信応答比を較正する段階と
を含む。
【０００９】
この可能な実現形態において、ＢＢＵは、基準チャネルおよびプリセットＲＲＵにおけるプリセットチャネルを用いることにより全帯域幅におけるいくつかのサブキャリア上で較正信号を送受信し、計算によって較正係数を得るよう基準ＲＲＵに命令するだけでよい。これにより、ＢＢＵは、全帯域幅における基準ＲＲＵにおける基準チャネルに対するプリセットＲＲＵにおけるプリセットチャネルの較正係数を決定し、全帯域幅におけるプリセットＲＲＵにおけるプリセットチャネルの送受信応答比を較正し得る。プリセットＲＲＵにおけるプリセットチャネルの送受信応答比が全帯域幅において較正される場合、較正信号は、各サブキャリア上で送受信される必要はない。従って、これにより、ＲＲＵ間でのチャネルの較正中に各サブキャリア上で較正信号が送受信される必要があるという理由で発生する、リソース消費が比較的多いという問題が解決され、リソース消費が減少する。加えて、較正信号は、いくつかのサブキャリア上でのみ伝送される必要があり、それにより、較正信号の電力が減少する。
【００１０】
第１の態様に関連して、第１の態様の第１の可能な実現形態において、ＢＢＵが、計算によって得たＭ個の較正係数に従って第１の対応関係を決定する段階は、
ＢＢＵが、Ｍ個の較正係数に従って、全帯域幅における基準ＲＲＵにおける基準チャネルに対するプリセットＲＲＵにおけるプリセットチャネルの較正係数の初期位相および遅延を決定する段階と、
ＢＢＵが、初期位相および遅延に従って第１の対応関係を決定する段階と
を含む。
【００１１】
第１の態様の第１の可能な実現形態に関連して、第１の態様の第２の可能な実現形態において、ＢＢＵが、Ｍ個の較正係数に従って、全帯域幅における基準ＲＲＵにおける基準チャネルに対するプリセットＲＲＵにおけるプリセットチャネルの較正係数の初期位相および遅延を決定する段階は、
Ｍ個の較正係数のうちの各較正係数について、ＢＢＵが較正係数の位相を決定する段階と、
ＢＢＵが、Ｍ個の位相と、各較正係数に対応するサブキャリアの周波数とに従って、全帯域幅における基準ＲＲＵにおける基準チャネルに対するプリセットＲＲＵにおけるプリセットチャネルの較正係数の初期位相および遅延を決定する段階
を含む。
【００１２】
第１の態様の第１の可能な実現形態または第１の態様の第２の可能な実現形態に関連して、第１の態様の第３の可能な実現形態において、ＢＢＵが、初期位相および遅延に従って第１の対応関係を決定する段階は、
ＢＢＵが、初期位相と、遅延と、Ｎ個のサブキャリアのうちの各サブキャリアの周波数ｆｎとに従って、全帯域幅における基準ＲＲＵにおける基準チャネルに対するプリセットＲＲＵにおけるプリセットチャネルの較正係数の位相φｆｎを決定する段階であって、１≦ｎ≦Ｎであり、ｎは整数である、段階と、
位相φｆｎに従って第１の対応関係を決定する段階と
を含む。
【００１３】
第１の態様、第１の態様の第１の可能な実現形態、第１の態様の第２の可能な実現形態、および第１の態様の第３の可能な実現形態に関連して、第１の態様の第４の可能な実現形態において、Ｍ個のサブキャリアのうちの任意の２つのサブキャリアの周波数間の差は、予め設定された周波数閾値未満である。
【００１４】
第１の態様、第１の態様の第１の可能な実現形態、第１の態様の第２の可能な実現形態、第１の態様の第３の可能な実現形態に関連して、第１の態様の第５の可能な実現形態において、プリセットＲＲＵは、少なくとも２つのプリセットチャネルを含み、ＢＢＵが、サブキャリア上の、基準ＲＲＵにおける基準チャネルに対するプリセットＲＲＵにおけるプリセットチャネルの較正係数を計算する段階は、ＢＢＵが、プリセットチャネルに対応するサブキャリア上の、基準ＲＲＵにおける基準チャネルに対する各プリセットチャネルの較正係数を同じ時間ドメインリソースで計算する段階を含み、プリセットＲＲＵにおける異なるプリセットチャネルに対応するサブキャリアの周波数は異なる。
【００１５】
この可能な実現形態において、プリセットＲＲＵにおける複数のプリセットチャネルが、Ｍ個の異なるサブキャリアを用いる。これにより、ＢＢＵは、複数の第１の対応関係を同時に決定および取得すべく、基準ＲＲＵにおける基準チャネルおよびプリセットＲＲＵにおける複数のプリセットチャネルを同時に用いることにより異なるサブキャリア上で同時に較正信号を送受信するよう命令し得、決定された第１の対応関係に従って、プリセットＲＲＵにおける複数のチャネルの送受信応答比を較正し得る。これにより、プリセットＲＲＵにおける比較的多数のプリセットチャネルの送受信応答比が較正される必要がある場合、較正信号が較正のために連続的に送受信される必要があるという理由で発生する、較正期間が比較的長いという問題が解決され、較正期間が減少する。
【００１６】
第１の態様、第１の態様の第１の可能な実現形態、第１の態様の第２の可能な実現形態、第１の態様の第３の可能な実現形態、第１の態様の第４の可能な実現形態、および第１の態様の第５の可能な実現形態に関連して、第１の態様の第６の可能な実現形態において、方法は、Ｋ個のＲＲＵのうちの少なくとも１つのＲＲＵと他のＲＲＵとの間の信号品質値が予め設定された閾値よりも大きい場合、ＢＢＵが、Ｋ個のＲＲＵのうちのＲＲＵと他のＲＲＵとの間の最大信号品質値を有するＲＲＵを基準ＲＲＵとして用い、基準ＲＲＵにおける任意のチャネルを基準チャネルとして用い、Ｋ個のＲＲＵのうちの他のＲＲＵをプリセットＲＲＵとして用いる段階をさらに含み、Ｋ≧３であり、Ｋは整数である。
【００１７】
第１の態様の第６の可能な実現形態に関連して、第１の態様の第７の可能な実現形態において、少なくとも２つのプリセットＲＲＵが含まれ、ＢＢＵが、サブキャリア上の、基準ＲＲＵにおける基準チャネルに対するプリセットＲＲＵにおけるプリセットチャネルの較正係数を計算する段階は、ＢＢＵが、プリセットＲＲＵにおけるプリセットチャネルに対応するサブキャリア上の、基準ＲＲＵにおける基準チャネルに対する各プリセットＲＲＵにおけるプリセットチャネルの較正係数を同じ時間ドメインリソースで計算する段階を含み、異なるプリセットＲＲＵにおけるプリセットチャネルに対応するサブキャリアの周波数は異なる。
【００１８】
この可能な実現形態において、複数のプリセットＲＲＵにおけるプリセットチャネルが、Ｍ個の異なるサブキャリアを用いる。これにより、ＢＢＵは、複数の第１の対応関係を同時に決定および取得すべく、基準ＲＲＵにおける基準チャネルおよび複数のプリセットＲＲＵにおけるプリセットチャネルを同時に用いることにより異なるサブキャリア上で同時に較正信号を送受信するよう命令し得、決定された第１の対応関係に従って、プリセットＲＲＵにおける複数のチャネルの送受信応答比を較正し得る。これにより、比較的多数のプリセットＲＲＵのチャネルの送受信応答比が連続的に較正される必要がある場合に発生する、較正期間が比較的長いという問題が解決され、ＲＲＵの複数のペアが同時に較正信号を送受信し得、互いに干渉しないことが実装され、較正期間が減少する。
【００１９】
第１の態様、第１の態様の第１の可能な実現形態、第１の態様の第２の可能な実現形態、第１の態様の第３の可能な実現形態、第１の態様の第４の可能な実現形態、および第１の態様の第５の可能な実現形態に関連して、第１の態様の第８の可能な実現形態において、方法は、Ｋ個のＲＲＵのうちの各ＲＲＵと２つの近接するＲＲＵとの間の信号品質値が予め設定された閾値よりも大きい場合、ＢＢＵが、Ｋ個のＲＲＵのうちの１つおきのＲＲＵを基準ＲＲＵとして用い、基準ＲＲＵにおける任意のチャネルを基準チャネルとして用い、Ｋ個のＲＲＵのうちの他のＲＲＵをプリセットＲＲＵとして用いる段階であって、各基準ＲＲＵは、基準ＲＲＵに隣接する２つのＲＲＵに対応する基準ＲＲＵでありＫ≧３である、段階をさらに含み、ＢＢＵが、第１の対応関係に従って各サブキャリアに対するプリセットＲＲＵにおけるプリセットチャネルの送受信応答比を較正する段階は、ＢＢＵが、プリセットＲＲＵにおけるプリセットチャネルに対応する基準ＲＲＵにおける基準チャネルに対するプリセットＲＲＵにおけるプリセットチャネルの第１の対応関係に従って、一次基準ＲＲＵにおける基準チャネルに対する各プリセットＲＲＵにおけるプリセットチャネルの第２の対応関係を決定する段階であって、第２の対応関係は、全帯域幅における各サブキャリアの周波数と第２の較正係数との間の対応関係を含み、第２の較正係数は、サブキャリア上の、一次基準ＲＲＵにおける基準チャネルに対するプリセットＲＲＵにおけるプリセットチャネルの較正係数であり、一次基準ＲＲＵは、Ｋ個のＲＲＵのうちの任意のＲＲＵである、段階と、ＢＢＵが、決定された第２の対応関係に従って、各サブキャリア上の、プリセットＲＲＵにおけるプリセットチャネルの送受信応答比を較正する段階とを含む。
【００２０】
第１の態様の第８の可能な実現形態に関連して、第１の態様の第９の可能な実現形態において、少なくとも２つのプリセットＲＲＵが含まれ、ＢＢＵが、サブキャリア上の、基準ＲＲＵにおける基準チャネルに対するプリセットＲＲＵにおけるプリセットチャネルの較正係数を計算する段階は、ＢＢＵが、プリセット基準チャネルに対する各プリセットＲＲＵにおけるプリセットチャネルの較正係数を同じ時間ドメインリソースで計算する段階を含み、較正係数は、プリセットＲＲＵにおけるプリセットチャネルに対応するサブキャリア上の、プリセット基準チャネルに対するプリセットＲＲＵにおけるプリセットチャネルの較正係数であり、プリセット基準チャネルは、プリセットＲＲＵに対応する基準ＲＲＵにおける基準チャネルであり、異なるプリセットＲＲＵにおけるプリセットチャネルに対応するサブキャリアの周波数は異なる。
【００２１】
この可能な実現形態において、複数のプリセットＲＲＵにおけるプリセットチャネルが、Ｍ個の異なるサブキャリアを用いる。これにより、ＢＢＵは、複数の第１の対応関係を同時に決定および取得すべく、基準ＲＲＵにおける基準チャネルおよび複数のプリセットＲＲＵにおけるプリセットチャネルを同時に用いることにより異なるサブキャリア上で同時に較正信号を送受信するよう命令し得、決定された第１の対応関係に従って、プリセットＲＲＵにおける複数のチャネルの送受信応答比を較正し得る。これにより、比較的多数のプリセットＲＲＵのチャネルの送受信応答比が連続的に較正される必要がある場合に発生する、較正期間が比較的長いという問題が解決され、ＲＲＵの複数のペアが同時に較正信号を送受信し得、互いに干渉しないことが実装され、較正期間が減少する。
【００２２】
第１の態様、第１の態様の第１の可能な実現形態、第１の態様の第２の可能な実現形態、第１の態様の第３の可能な実現形態、第１の態様の第４の可能な実現形態、第１の態様の第５の可能な実現形態、第１の態様の第６の可能な実現形態、第１の態様の第７の可能な実現形態、第１の態様の第８の可能な実現形態、および第１の態様の第９の可能な実現形態に関連して、第１の態様の第１０の可能な実現形態において、プリセットＲＲＵにおけるプリセットチャネルに対応するＭ個のサブキャリアの周波数は、プリセットＲＲＵが位置するクラスタに隣接するクラスタにおけるＲＲＵにおけるチャネルに対応するサブキャリアの周波数とは異なり、クラスタは、チャネルの必要送受信応答比が同じであるＲＲＵのセットである。
【００２３】
この可能な実現形態において、複数のクラスタにおけるＲＲＵにおけるチャネルに対応するサブキャリアの周波数は異なる。これにより、隣接するクラスタにおけるＲＲＵが、較正信号を同時に送受信し得、互いに干渉しないことが実装され、隣接するクラスタにおけるＲＲＵ間の較正信号の干渉が減少する。
【００２４】
第１の態様、第１の態様の第１の可能な実現形態、第１の態様の第２の可能な実現形態、第１の態様の第３の可能な実現形態、第１の態様の第４の可能な実現形態、第１の態様の第５の可能な実現形態、第１の態様の第６の可能な実現形態、第１の態様の第７の可能な実現形態、第１の態様の第８の可能な実現形態、第１の態様の第９の可能な実現形態、および第１の態様の第１０の可能な実現形態に関連して、第１の態様の第１１の可能な実現形態において、方法は、全帯域幅におけるＪ個のサブキャリアのうちの各サブキャリアについて、サブキャリア上の、基準ＲＲＵにおける基準チャネルに対するプリセットＲＲＵにおけるプリセットチャネルの較正係数を計算する段階であって、１≦Ｊ≦Ｎであり、Ｊは整数である、段階と、Ｊ個の較正係数の初期位相に従って、全帯域幅における基準ＲＲＵにおける基準チャネルに対するプリセットＲＲＵにおけるプリセットチャネルの較正係数の更新済み初期位相を決定する段階と、更新済み初期位相および遅延に従って第１の対応関係を更新する段階とをさらに含む。
【００２５】
この可能な実現形態において、遅延が変わる場合、サブキャリア上で較正信号を再送受信することなく、較正係数の初期位相を再測定し、次に、新たな第一の対応関係を決定することのみにより第１の対応関係を更新することを決定し得る。これにより、ＢＢＵの処理動作量が減少する。
【００２６】
第２の態様によれば、ＲＲＵ間でチャネルを較正するための装置が提供される。装置は、プロセッサと、プロセッサに接続されたメモリとを含む。メモリは、１または複数の命令を格納するように構成される。命令は、命令後にプロセッサにより実行される。プロセッサは、前述の第１の態様において提供されるＲＲＵ間でチャネルを較正するための方法を実装するための命令を実行する。
【００２７】
第３の態様によれば、ＲＲＵ間でチャネルを較正するための装置が提供される。ＲＲＵ間でチャネルを較正するための装置は、少なくとも１つのユニットを含む。少なくとも１つのユニットは、前述の第１の態様において提供されるＲＲＵ間でチャネルを較正するための方法を実装するように構成される。
【図面の簡単な説明】
【００２８】
本発明の実施形態における技術的解決手段をより明確に説明するために、以下では、実施形態を説明するために必要な添付図面を簡単に説明する。以下の説明における添付図面は、本発明のいくつかの実施形態を示しているに過ぎず、当業者であれば、創造的努力なくこれらの添付図面から他の図面をさらに導出し得ることは明らかである。
【００２９】
【図１】本発明の一実施形態の一例による、ＲＲＵ間でチャネルを較正するための分散型基地局およびシステムの概略構造図である。
【００３０】
【図２】本発明の一実施形態の一例による、ＲＲＵ間でチャネルを較正するための方法のフローチャートである。
【００３１】
【図３】本発明の別の実施形態の一例による、ＲＲＵ間でチャネルを較正するための方法のフローチャートである。
【００３２】
【図４】本発明の別の実施形態の一例による、ＲＲＵ間でチャネルを較正するための方法のフローチャートである。
【００３３】
【図５】本発明の別の実施形態の一例による、ＲＲＵ間でチャネルを較正するためのシステムの概略構造図である。
【００３４】
【図６】本発明の別の実施形態の一例による、ＲＲＵ間でチャネルを較正するための方法のフローチャートである。
【００３５】
【図７】本発明の別の実施形態の一例による、ＲＲＵ間でチャネルを較正するためのシステムの概略構造図である。
【００３６】
【図８Ａ】本発明の別の実施形態の一例による、ＲＲＵ間でチャネルを較正するための方法のフローチャートである。
【００３７】
【図８Ｂ】本発明の別の実施形態の一例によるＲＲＵ間でチャネルを較正するための方法のフローチャートである。
【００３８】
【図９】本発明の別の実施形態の一例によるＲＲＵ間でチャネルを較正するためのシステムの概略構造図である。
【００３９】
【図１０】本発明の別の実施形態の一例による、ＲＲＵ間でチャネルを較正するための方法のフローチャートである。
【００４０】
【図１１】本発明の一実施形態の一例による、ＲＲＵ間でチャネルを較正するための装置の概略構造図である。
【００４１】
【図１２】本発明の一実施形態の一例による、ＲＲＵ間でチャネルを較正するための装置の概略構造図である。
【発明を実施するための形態】
【００４２】
本発明の目的、技術的解決手段および利点をより明確にすべく、以下ではさらに、添付図面を参照して本発明の実施形態を詳細に説明する。
【００４３】
本明細書において言及される「モジュール」は、メモリに格納されている、いくつかの機能を実装するように構成され得るプログラムまたは命令である。本明細書において言及される「ユニット」は、ロジックに従って分割された機能構造である。「ユニット」は、ハードウェアのみにより実装され得るか、またはソフトウェアとハードウェアとの組み合わせにより実装され得る。
【００４４】
実施形態において提供されるＲＲＵ間でチャネルを較正するための方法におけるＲＲＵは、分散型基地局におけるＲＲＵである。図１に示されるように、図１は、分散型基地局の概略構造図を示す。分散型基地局は、ＢＢＵ１２０と、ＲＲＵ０  １４１と、ＲＲＵ１  １４２とを含む。
【００４５】
分散型基地局において、ＢＢＵは、光ファイバまたはマイクロ波を用いることにより、１または複数のＲＲＵに接続されている。図１において、ＢＢＵ１２０はＲＲＵ０  １４１に接続されており、ＲＲＵ１  １４２は説明のための一例として用いられているに過ぎない。
【００４６】
ＢＢＵ１２０は、ベースバンド信号を処理および伝送し、ＢＢＵ１２０に接続されたＲＲＵ０  １４１およびＲＲＵ１  １４２に、特定のチャネルを介した較正信号の送信および較正信号の受信などの動作を実行するよう命令するように構成される。
【００４７】
１つのＲＲＵは複数のチャネルを含む。ＲＲＵにおけるチャネルは、送受信チャネル、中間周波数および無線周波数チャネルまたはサービスチャネルとも称される。各チャネルは、１つのアンテナと一対一の対応関係にある。例えば、図１に示されるように、ＲＲＵ０はチャネル０からチャネルＡを含み、チャネル０からチャネルＡは、アンテナ０からアンテナＡと一対一の対応関係にある。ＲＲＵ１はチャネル０からチャネルＢを含み、チャネル０からチャネルＢは、アンテナ０からアンテナＢと一対一の対応関係にある。Ａ≧０かつＢ≧０である。１つのＲＲＵに含まれるチャネルの数は、本実施形態において限定されない。
【００４８】
ＲＲＵは、ＢＢＵにより、１または複数のチャネルを介して、チャネルに対応するアンテナを用いることにより信号を送受信するよう命令される。異なるＲＲＵが、信号を同じ端末装置へ連携して伝送するように構成されるか、または異なる端末装置へ信号を伝送するように構成される。例えば、ＢＢＵは、チャネル０を用いることにより信号１を端末装置１へ伝送するようＲＲＵ０に命令し、チャネル０およびチャネル１を用いることにより信号１を端末装置１へ伝送するようＲＲＵ１に命令する。代替的に、ＢＢＵは、チャネル０を用いることにより信号１を端末装置１へ伝送するようＲＲＵ０に命令し、チャネル０およびチャネル１を用いることにより信号２を端末装置２へ伝送するようＲＲＵ１に命令する。
【００４９】
ダウンリンク信号伝送中、ＲＲＵは伝送モードで動作する。ＲＲＵは、ＢＢＵにより送信されて受信したベースバンド信号に対する変調および復調、周波数変換、無線周波数フィルタリング、電力増幅、伝送フィルタリングなどの処理動作を実行し、ＢＢＵの命令に従って、１または複数のチャネルを用いることにより、処理済みの無線周波数信号を端末装置または別のＲＲＵへ送信する。
【００５０】
アップリンク信号伝送中、ＲＲＵは、受信モードで動作する。ＲＲＵは、１または複数のチャネルを用いることにより、端末装置または別のＲＲＵにより送信された信号を受信し、受信した信号に対するフィルタリング、低ノイズ増幅、小規模無線周波数信号増幅およびフィルタリング、周波数変換、アナログからデジタルへの変換、デジタル中間周波数処理などの処理動作を実行し、次に、処理済みの信号をＲＲＵに接続されたＢＢＵへ送信する。ＢＢＵは、ＲＲＵにより送信され受信した信号を処理し得る。
【００５１】
任意選択で、分散型基地局は、ＲＲＵに対応する結合回路をさらに含む。結合回路は、較正用結合ディスクとも称される。結合回路は、結合回路に対応するＲＲＵに対して自己較正を実行するように構成される。具体的には、結合回路は、結合回路に対応するＲＲＵにおけるチャネルを介して送信された較正信号に対してループバックを実行するように構成されるか、または、結合回路に対応するＲＲＵにおけるチャネルに較正信号の電力を受信のために割り当てるように構成される。例えば、図１に示されるように、ＲＲＵ０  １４１に対応する結合回路０  １６１は、ＲＲＵ０  １４１に含まれるチャネル０からチャネルＡを介して伝送された較正信号に対してループバックまたは電力割り当てを実行するように構成される。ＲＲＵ０  １４２に対応する結合回路１  １６２は、ＲＲＵ１  １４２に含まれるチャネル０からチャネルＢを介して伝送された較正信号に対してループバックまたは電力割り当てを実行するように構成される。
【００５２】
図１を参照すると、図１は、本発明の一実施形態による、ＲＲＵ間でチャネルを較正するためのシステムの概略構造図を示す。ＲＲＵ間でチャネルを較正するためのシステムはＢＢＵと、基準ＲＲＵと、プリセットＲＲＵとを含む。
【００５３】
本実施形態において、以下の例は説明に用いられる。図１におけるＲＲＵ０  １４１は基準ＲＲＵであり、ＲＲＵ１  １４２はプリセットＲＲＵである。基準ＲＲＵおよびプリセットＲＲＵは同じ分散型基地局におけるＲＲＵであり、基準ＲＲＵおよびプリセットＲＲＵは同じＢＢＵに接続されており、ＢＢＵは基準ＲＲＵおよびプリセットＲＲＵとの信号伝送を実行し、基準ＲＲＵおよびプリセットＲＲＵについての命令を提供する。
【００５４】
別の実現形態において、基準ＲＲＵおよびプリセットＲＲＵは、異なる分散型基地局におけるＲＲＵであり得る。基準ＲＲＵおよびプリセットＲＲＵは、異なるＢＢＵに別々に接続されている。基準ＲＲＵに接続されたＢＢＵは、基準ＲＲＵについての命令を提供し、基準ＲＲＵとの信号伝送を実行する。プリセットＲＲＵに接続されたＢＢＵは、プリセットＲＲＵ２についての命令を提供し、プリセットＲＲＵとの信号伝送を実行する。基準ＲＲＵに接続されたＢＢＵは、プリセットＲＲＵに接続されたＢＢＵとの信号伝送を実行し得る。
【００５５】
基準ＲＲＵおよびプリセットＲＲＵは、同じ信号を同じ端末装置へ連携して伝送するように構成されたＲＲＵである。プリセットＲＲＵにおけるチャネルの送受信応答比は、基準ＲＲＵにおけるチャネルの送受信応答比と同じである必要がある。
【００５６】
あるチャネルの送受信応答比は、そのチャネルの受信応答に対するそのチャネル伝送応答の比である。チャネルの伝送応答は、チャネルが位置するＲＲＵがチャネルを用いることにより信号を送信する場合のチャネル応答である。チャネルの受信応答は、チャネルが位置するＲＲＵがチャネルを用いることにより信号を受信する場合のチャネル応答である。
【００５７】
任意選択で、基準ＲＲＵは自己較正を既に実行しており、基準ＲＲＵに含まれる全てのチャネルは同じ送受信応答比を有する。代替的に、基準ＲＲＵは自己較正を実行せず、基準ＲＲＵに含まれるチャネルは異なる送受信応答比を有する。
【００５８】
任意選択で、プリセットＲＲＵは自己較正を既に実行しており、プリセットＲＲＵに含まれる全てのチャネルは同じ送受信応答比を有する。代替的に、プリセットＲＲＵは自己較正を実行せず、プリセットＲＲＵに含まれるチャネルは異なる送受信応答比を有する。
【００５９】
基準ＲＲＵは１または複数の基準チャネルを含む。基準チャネルは基準ＲＲＵにおける任意のチャネルであり得る。
【００６０】
プリセットＲＲＵは、１または複数のプリセットチャネルを含む。プリセットＲＲＵにおけるプリセットチャネルの送受信応答比は、基準ＲＲＵにおける基準チャネルの送受信応答比と同じである必要がある。プリセットＲＲＵが自己較正を既に実行している場合、プリセットＲＲＵにおける全てのチャネルは同じ送受信応答比を有するので、プリセットチャネルは、プリセットＲＲＵにおける任意のチャネルである。プリセットＲＲＵが自己較正を実行していない場合、プリセットＲＲＵに含まれる各チャネルは、プリセットチャネルである。
【００６１】
図１に示されるＲＲＵ間でチャネルを較正するためのシステムは、ロングタームエボリューション（Ｌｏｎｇ  Ｔｅｒｍ  Ｅｖｏｌｕｔｉｏｎ、ＬＴＥ）システム、または、例えば、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）または単一キャリア周波数分割多重接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）などのアクセス技術を用いるシステムといった、様々な無線アクセス技術を用いる他の無線通信システムであり得る。加えて、ＲＲＵ間でチャネルを較正するためのシステムはさらに、ＬＴＥシステム以降の進化型システム、例えば、第５世代のモバイル通信技術（第５世代、５Ｇ）システムに適用可能であり得る。
【００６２】
図２を参照すると、図２は、本発明の一実施形態の一例による、ＲＲＵ間でチャネルを較正するための方法のフローチャートである。本実施形態において、図１に示されるＲＲＵ間でチャネルを較正するためのシステムに方法が適用されることが説明のために用いられ、方法は以下の段階を含む。
【００６３】
段階２０１：全帯域幅におけるＭ個のサブキャリアのうちの各サブキャリアについて、ＢＢＵが、基準チャネルおよびプリセットＲＲＵにおけるプリセットチャネルを用いることによりサブキャリア上で較正信号を送受信するよう基準ＲＲＵに命令し、ＢＢＵが、サブキャリア上の、基準ＲＲＵにおける基準チャネルに対するプリセットＲＲＵにおけるプリセットチャネルの較正係数を計算する。２≦Ｍ＜Ｎであり、Ｎは全帯域幅におけるサブキャリアの総数であり、ＭおよびＮの両方は整数である。
【００６４】
基準ＲＲＵおよびプリセットＲＲＵにおける各チャネルは、全帯域幅で動作する。全帯域幅は、複数のサブキャリアを含む。全帯域幅は、ＲＲＵ間でチャネルを較正するための方法に関連する、ＲＲＵ間でチャネルを較正するためのシステムの動作帯域幅である。
【００６５】
段階２０２：ＢＢＵが、計算によって得たＭ個の較正係数に従って第１の対応関係を決定する。第１の対応関係は、全帯域幅における各サブキャリアの周波数と第１の較正係数との間の対応関係を含み、第１の較正係数は、サブキャリア上の、基準ＲＲＵにおける基準チャネルに対するプリセットＲＲＵにおけるプリセットチャネルの較正係数である。
【００６６】
段階２０３：ＢＢＵが、第１の対応関係に従って、各サブキャリア上の、プリセットＲＲＵにおけるプリセットチャネルの送受信応答比を較正する。
【００６７】
結論として、本発明の実施形態において提供されるＲＲＵ間でチャネルを較正するための方法に従って、ＢＢＵは、基準チャネルおよびプリセットＲＲＵにおけるプリセットチャネルを用いることにより全帯域幅におけるいくつかのサブキャリア上で較正信号を送受信し、計算によって較正係数を得るよう基準ＲＲＵに命令するだけでよい。これにより、ＢＢＵは、全帯域幅における基準ＲＲＵにおける基準チャネルに対するプリセットＲＲＵにおけるプリセットチャネルの較正係数を決定し、全帯域幅におけるプリセットＲＲＵにおけるプリセットチャネルの送受信応答比を較正し得る。これにより、ＲＲＵ間でのチャネルの較正中に各サブキャリア上で較正信号が送受信される必要があるという理由で発生する、リソース消費が比較的多いという問題が解決され、リソース消費が減少する。加えて、較正信号は、いくつかのサブキャリア上でのみ伝送される必要があり、それにより、較正信号の電力が減少する。
【００６８】
図３を参照すると、図３は、本発明の一実施形態の一例による、ＲＲＵ間でチャネルを較正するための方法のフローチャートである。本実施形態において、図１に示されるＲＲＵ間でチャネルを較正するためのシステムに方法が適用されることが説明に用いられ、方法は以下の段階を含む。
【００６９】
段階３０１：全帯域幅におけるＭ個のサブキャリアのうちの各サブキャリアについて、ＢＢＵが、基準チャネルおよびプリセットＲＲＵにおけるプリセットチャネルを用いることによりサブキャリア上で較正信号を送受信するよう基準ＲＲＵに命令し、ＢＢＵが、サブキャリア上の、基準ＲＲＵにおける基準チャネルに対するプリセットＲＲＵにおけるプリセットチャネルの較正係数を計算する。２≦Ｍ＜Ｎであり、Ｎは全帯域幅におけるサブキャリアの総数であり、ＭおよびＮの両方は整数である。
【００７０】
ＢＢＵは、基準チャネルおよびプリセットＲＲＵにおけるプリセットチャネルを用いることによりサブキャリア上で較正信号を送受信するよう基準ＲＲＵに命令し、サブキャリア上の、基準ＲＲＵにおける基準チャネルに対するプリセットＲＲＵにおけるプリセットチャネルの較正係数を計算する。その具体的な処理は、以下のいくつかの段階を含む。
【００７１】
特定の時間ドメインリソース上で、基準ＲＲＵは伝送モードで動作し、プリセットＲＲＵは受信モードで動作する。
【００７２】
１．  ＢＢＵが、基準チャネルを用いることによりプリセットＲＲＵにおけるプリセットチャネルへ較正信号Ｓ１を送信するよう基準ＲＲＵに命令する。
【００７３】
任意選択で、特定の時間ドメインリソースは、ＬＴＥ  ＴＤＤシステムにおけるｋ番目の無線フレームのスペシャルサブフレームのアップリンクおよびダウンリンクのガード期間（Ｇｕａｒｄ  Ｐｅｒｉｏｄ、ＧＰ）間隔であり、ｋは１よりも大きいか、または１と等しい任意の整数である。
【００７４】
Ｍ個のサブキャリアのうちの任意のサブキャリアについて、ＢＢＵがサブキャリア上へ較正信号Ｓ１を変調し、サブキャリアを用いることにより較正信号Ｓ１を基準ＲＲＵへ送信する。基準ＲＲＵが高周波数キャリア上へサブキャリアを変調し、基準チャネルを用いることにより高周波数キャリアを送信する。
【００７５】
２．  ＢＢＵが、基準ＲＲＵが基準チャネルを用いることにより送信した較正信号をプリセットチャネルを用いることにより受信するようプリセットＲＲＵに命令する。
【００７６】
ＢＢＵは、プリセットチャネルを用いることにより高周波数キャリアを受信し、高周波数キャリアを復調してサブキャリア上で較正信号Ｙ１＝Ｔ１×Ｒ２×Ｈ１２×Ｓ１を得るようプリセットＲＲＵに命令する。Ｔ１は、基準ＲＲＵにおける基準チャネルの伝送応答である。Ｒ２は、プリセットＲＲＵにおけるプリセットチャネルの受信応答である。Ｈ１２は、基準ＲＲＵにおける基準チャネルとプリセットＲＲＵにおけるプリセットチャネルとの間のエアインタフェースの応答である。
【００７７】
別の特定の時間ドメインリソース上で、基準ＲＲＵは受信モードで動作し、プリセットＲＲＵは伝送モードで動作する。
【００７８】
３．  ＢＢＵが、プリセットチャネルを用いることにより基準ＲＲＵにおける基準チャネルへ較正信号Ｓ２を送信するようプリセットＲＲＵに命令する。
【００７９】
任意選択で、別の特定の時間ドメインリソースは、ＬＴＥ  ＴＤＤシステムにおける（ｋ＋１）番目の無線フレームのスペシャルサブフレームのＧＰ間隔である。別の可能な実現形態において、別の特定の時間ドメインリソースは、別の無線フレームであり得る。これは本実施形態において限定されない。
【００８０】
４．  ＢＢＵが、プリセットＲＲＵがプリセットチャネルを用いることにより送信した較正信号を、基準チャネルを用いることにより受信するよう基準ＲＲＵに命令する。
【００８１】
ＢＢＵは、基準チャネルを用いることにより高周波信号を受信し、高周波信号を復調してサブキャリア上で較正信号Ｙ２＝Ｔ２×Ｒ１×Ｈ１２×Ｓ２を得るよう基準ＲＲＵに命令する。Ｔ２は、プリセットＲＲＵにおけるプリセットチャネルの伝送応答である。Ｒ１は、基準ＲＲＵにおける基準チャネルの受信応答である。
【００８２】
５．  ＢＢＵが、基準ＲＲＵが基準チャネルを用いることにより送信した較正信号Ｓ１と、プリセットＲＲＵがプリセットチャネルを用いることにより受信した較正信号Ｙ１と、プリセットＲＲＵがプリセットチャネルを用いることにより送信した較正信号Ｓ２と、基準ＲＲＵが基準チャネルを用いることにより送信した較正信号Ｙ２とに従って、サブキャリア上の、基準ＲＲＵにおける基準チャネルに対するプリセットＲＲＵにおけるプリセットチャネルの較正係数αを計算する。較正係数αは、サブキャリアに対応する。
【数２】
2019518381.tif 000004
【００８３】
基準ＲＲＵおよびプリセットＲＲＵが同じＢＢＵに接続されていない場合、基準ＲＲＵに接続されたＢＢＵが、前述の段階１および段階４に示される方法を実行することによりＳ１およびＹ２を決定し、プリセットＲＲＵに接続されたＢＢＵが、前述の段階２および段階３に示される方法を実行することによりＹ１およびＳ２を決定することに留意すべきである。プリセットＲＲＵに接続されたＢＢＵは、基準ＲＲＵに接続されたＢＢＵとの信号伝送を実行することによりＳ１およびＹ２を決定し、前述の段階５に示される方法を用いることにより、サブキャリア上の、基準ＲＲＵにおける基準チャネルに対するプリセットＲＲＵにおけるプリセットチャネルの較正係数αを計算する。
【００８４】
ＢＢＵは、前述の方法を用いて、同じ時間ドメインリソースまたは異なる時間ドメインリソース上で、全帯域幅におけるＭ個のサブキャリアのうちの任意のサブキャリア上の、基準ＲＲＵにおける基準チャネルに対するプリセットＲＲＵにおけるプリセットチャネルの較正係数を計算する。
【００８５】
Ｍ個のサブキャリアのうちの各サブキャリアの周波数は異なる。Ｍ個のサブキャリアの周波数はそれぞれｆ１，ｆ２，…ｆＭであると仮定する。任意の２つのサブキャリアの周波数間の差は、予め設定された周波数閾値未満である。
【００８６】
任意選択で、予め設定された周波数閾値は、信号の受信および伝送中の任意の２つのＲＲＵの遅延間の差の最大値τｍａｘに対応する閾値である。任意の２つのＲＲＵの遅延間の差の最大値τｍａｘは、システムにおいて予め設定された値である。任意選択で、予め設定された周波数閾値が
【数３】
2019518381.tif 000005
である場合、
【数４】
2019518381.tif 000006
である。
ｆｉおよびｆｊはＭ個のサブキャリアのうちの任意の２つのサブキャリアの周波数であり、１≦ｉ≦Ｍ、１≦ｊ≦Ｍ、かつ、ｉ≠ｊである。予め設定された周波数閾値は、
【数５】
2019518381.tif 000007
であり得るか、またはτｍａｘとの対応関係を有する別の閾値であり得る。これは本実施形態において限定されない。
【００８７】
例えば、信号の受信および伝送中の任意の２つのＲＲＵの遅延間の差の最大値τｍａｘは、４００ナノ秒である。ＢＢＵが、基準ＲＲＵにおける基準チャネルとプリセットＲＲＵにおけるプリセットチャネルとを用いることによりＭ個のサブキャリア上で較正信号を送受信するよう命令した場合、Ｍ個のサブキャリアのうちの任意の２つのサブキャリアの周波数間の差ｆｉ−ｆｊは、２．５ＭＨｚ未満である。
【００８８】
別の可能な実現形態において、ＢＢＵは、基準チャネルおよびプリセットＲＲＵにおけるプリセットチャネルを用いることによりＭ個のサブキャリア上で較正信号を送受信するよう基準ＲＲＵに命令した後に、Ｍ個のサブキャリアのうちのいくつかのサブキャリア上の、基準ＲＲＵにおける基準チャネルに対するプリセットＲＲＵにおけるプリセットチャネルの較正係数のみを計算し、少なくとも２つのサブキャリア上の較正係数を計算し得る。ＢＢＵにより計算される較正係数の数は、本実施形態において限定されない。本実施形態において、ＢＢＵが、Ｍ個のサブキャリア上の、基準ＲＲＵにおける基準チャネルに対するプリセットＲＲＵにおけるプリセットチャネルのＭ個の較正係数を計算する一例が、説明のために用いられる。
【００８９】
段階３０２：Ｍ個の較正係数のうちの各較正係数について、ＢＢＵが較正係数の位相を決定する。
【００９０】
予め定められた関数関係が、較正係数と較正係数の位相との間に存在する。ＢＢＵは、較正係数および予め定められた関数関係に従って、較正係数の位相φを決定する。予め定められた関数関係は、正弦関数関係、余弦関数関係等であり得る。実際の実装中、予め定められた関数関係は通常、複雑な包絡線の形式で表される。これは本実施形態において限定されない。
【００９１】
例えば、較正係数と較正係数の位相との間の予め定められた関数関係が正弦関数関係である場合において、較正係数がα＝ｃ×ｅｘｐ（ｊ×θ）であるときは、較正係数の位相はθであると決定され、ｃ≠０である。
【００９２】
段階３０３：ＢＢＵが、Ｍ個の位相と各較正係数に対応するサブキャリアの周波数とに従って、全帯域幅における基準ＲＲＵにおける基準チャネルに対するプリセットＲＲＵにおけるプリセットチャネルの較正係数の初期位相および遅延を決定する。
【００９３】
任意選択で、予め定められた関数関係が、各較正係数の位相φと、較正係数に対応するサブキャリアの周波数ｆと、全帯域幅における初期位相φ０と、全帯域幅における較正係数の遅延τとの間に存在する。任意選択で、φ＝２πｆ×τ＋φ０である。φは較正係数の位相であり、ｆは較正係数に対応するサブキャリアの周波数であり、全帯域幅における較正係数の遅延であり、φ０は全帯域幅における較正係数の初期位相である。
【００９４】
任意選択で、Ｍ＝２である場合、ＢＢＵは、２つの位相と各較正係数に対応するサブキャリアの周波数とに従って、全帯域幅における初期位相および全帯域幅における遅延を決定する。Ｍ＞２である場合、ＢＢＵは、Ｍ個の位相のうちの任意の２つまたはそれより多くの較正係数の位相に従って初期位相および遅延のグループを決定し、いくつかの初期位相に従って全帯域幅における初期位相を決定し、かつ、いくつかの遅延に従って全帯域幅における遅延を決定し、または、Ｍ個の位相に従って全帯域幅における初期位相および遅延を直接決定する。任意選択で、全帯域幅における遅延は計算によって得られるいくつかの遅延の平均値であるか、または、全帯域幅における遅延は、計算によって得られるいくつかの遅延のうち、いくつかの遅延の平均値に対して最小分散値を有する遅延である。全帯域幅における初期位相は、計算によって得られる初期位相のいくつかのグループの平均値であるか、または、全帯域幅における初期位相は、計算によって得られるいくつかの初期位相のうち、いくつかの初期位相の平均値に対して最小分散値を有する初期位相である。いくつかの遅延および初期位相に従って全帯域幅における遅延および全帯域幅における初期位相を決定するための方法は、本実施形態において限定されない。
【００９５】
例えば、Ｍ＝２である場合、第１の較正係数の位相がφｆ１であり、第１の較正係数に対応するサブキャリアの周波数がｆ１であると仮定すると、φｆ１＝２πｆ１τ＋φ０である。第２の較正係数の位相がφｆ２であり、第２の較正係数に対応するサブキャリアの周波数がｆ２である場合、φｆ２＝２πｆ２τ＋φ０である。次に、２つの関数関係に従って、全帯域幅における基準ＲＲＵにおける基準チャネルに対するプリセットＲＲＵにおけるプリセットチャネルの較正係数の遅延τが以下のとおり、つまり、
【数６】
2019518381.tif 000008
であること、および、全帯域幅における基準ＲＲＵにおける基準チャネルに対するプリセットＲＲＵにおけるプリセットチャネルの較正係数の初期位相φ０が以下のとおり、つまり、
【数７】
2019518381.tif 000009
であることが決定され得る。
【００９６】
別の例において、Ｍ＝４である場合、ＢＢＵは、第１の較正係数の位相と、対応するサブキャリアの周波数と、第２の較正係数の位相と、対応するサブキャリアの周波数とに従って、前述の方法を用いることにより、遅延τ１および初期位相φ01のグループを決定する。ＢＢＵは、第３の較正係数の位相と、対応するサブキャリアの周波数と、第４の較正係数の位相と、対応するサブキャリアの周波数とに従って、前述の方法を用いることにより、遅延τ２および初期位相φ０２のグループを決定する。次に、ＢＢＵは、全帯域幅における基準ＲＲＵにおける基準チャネルに対するプリセットＲＲＵにおけるプリセットチャネルの較正係数の遅延がτ＝（τ１＋τ２）／２であり、初期位相がφ０＝（φ０１＋φ０２）／２であることを決定する。
【００９７】
別の可能な実現形態において、ＢＢＵは、いくつかの較正係数の位相と、各較正係数に対応するサブキャリアの周波数とに従って、Ｍ個の較正係数のうちのいくつかの較正係数のみの位相を決定し、全帯域幅における基準ＲＲＵにおける基準チャネルに対するプリセットＲＲＵにおけるプリセットチャネルの較正係数の初期位相および遅延を決定し得る。加えて、ＢＢＵは、Ｍ個の較正係数のうちの少なくとも２つの較正係数の位相を決定する。ＢＢＵが決定する較正係数の位相の数は、本実施形態において限定されない。
【００９８】
段階３０４：ＢＢＵが、初期位相と、遅延と、Ｎ個のサブキャリアのうちの各サブキャリアの周波数ｆｎとに従って、全帯域幅における基準ＲＲＵにおける基準チャネルに対するプリセットＲＲＵにおけるプリセットチャネルの較正係数の位相φｆｎを決定する。１≦ｎ≦Ｎであり、ｎは整数である。
【００９９】
任意選択で、φｆｎ＝２πｆｎ×τ＋φ０である。τは、全帯域幅における遅延であり、前述の方法を用いることにより決定される。φ０は、全帯域幅における初期位相であり、前述の方法を用いることにより決定される。  前述の例において、Ｍ＝２である場合、
【数８】
2019518381.tif 000010
かつ、
【数９】
2019518381.tif 000011
である。
【０１００】
段階３０５：ＢＢＵが、位相φｆｎに従って第１の対応関係を決定する。
【０１０１】
第１の対応関係は、全帯域幅における各サブキャリアの周波数と第１の較正係数との間の対応関係を含む。第１の較正係数は、サブキャリア上の、基準ＲＲＵにおける基準チャネルに対するプリセットＲＲＵにおけるプリセットチャネルの較正係数である。
【０１０２】
予め定められた関数関係が、各サブキャリアの位相と各サブキャリア上の較正係数との間に存在する。予め定められた関数関係は、前述の段階３０２における予め定められた関数関係と同じであり得る。例えば、前述の例において、較正係数と較正係数の位相との間の予め定められた関数関係が正弦関数関係である場合、各サブキャリアの位相φｆｎが決定された後に、各サブキャリア上の較正係数がαｆｎ＝ｃ×ｅｘｐ（ｊ×φｆｎ）であることが決定される。ここで、φｆｎ＝２πｆｎ×τ＋φ０であり、次に、第１の対応関係は、である。αｆｎ＝ｃ×ｅｘｐ（ｊ×（２πｆｎ×τ＋φ０））である。ｎの値が異なる場合、ｆｎは異なるサブキャリアの周波数を示し、αｆｎは異なるサブキャリアの較正係数を示す。
【０１０３】
段階３０６：ＢＢＵが、第１の対応関係に従って、各サブキャリア上の、プリセットＲＲＵにおけるプリセットチャネルの送受信応答比を較正する。
【０１０４】
全帯域幅に含まれる各サブキャリアについて、サブキャリア上のプリセットＲＲＵにおけるプリセットチャネルを較正する場合、ＢＢＵは、サブキャリア上の、基準ＲＲＵにおける基準チャネルに対するプリセットＲＲＵにおけるプリセットチャネルの較正係数αを決定する。ＢＢＵは、前述の段階３０１において示される方法に従って、Ｍ個のサブキャリアのうちの各サブキャリア上の、基準ＲＲＵにおける基準チャネルに対するプリセットＲＲＵにおけるプリセットチャネルの較正係数を計算によって得、第１の対応関係に従って、Ｎ個のサブキャリアのうちの、前述のＭ個のサブキャリアとは異なる別のサブキャリア上の、基準ＲＲＵにおける基準チャネルに対するプリセットＲＲＵにおけるプリセットチャネルの較正係数を決定する。
【０１０５】
各サブキャリア上の較正係数は、
【数１０】
2019518381.tif 000012
、つまり、
【数１１】
2019518381.tif 000013
である。
【数１２】
2019518381.tif 000014
は、サブキャリア上の、基準ＲＲＵにおける基準チャネルの送受信応答比である。
【数１３】
2019518381.tif 000015
は、サブキャリア上の、プリセットＲＲＵにおけるプリセットチャネルの送受信応答比である。ＢＢＵが、プリセットチャネルを用いてサブキャリア上で信号を送信するようプリセットＲＲＵに命令した場合、送信される信号の大きさを較正係数αで乗算したものは、サブキャリア上の、プリセットＲＲＵにおけるプリセットチャネルの伝送応答を較正係数αで乗算したものと同等であり、または、ＢＢＵが、プリセットチャネルを用いてサブキャリア上で信号を受信するようプリセットＲＲＵに命令した場合、受信した信号を較正係数αで除算したものは、サブキャリア上の、プリセットＲＲＵにおけるプリセットチャネルの受信応答を較正係数αで除算したものと同等である。従って、サブキャリア上の、プリセットＲＲＵにおけるプリセットチャネルの送受信応答比は較正される。
【０１０６】
プリセットＲＲＵが自己較正を既に実行している場合、プリセットＲＲＵに含まれる全てのチャネルが同じ送受信応答比を有するので、各サブキャリア上の、プリセットＲＲＵにおける各チャネルの送受信応答比は、前述の方法を用いることにより各サブキャリアに対して計算によって得られる較正係数に従って較正される。
【０１０７】
前述の方法において、基準ＲＲＵが自己較正を実行していない場合、基準ＲＲＵにおける基準チャネルに対するプリセットＲＲＵにおけるプリセットチャネルの第１の対応関係が決定された後、かつ、各サブキャリア上の、プリセットＲＲＵにおけるプリセットチャネルの送受信応答比が第１の対応関係に従って較正される前に、基準ＲＲＵは、自己較正を実行し、基準ＲＲＵにおける一次基準チャネルを決定し、基準ＲＲＵにおける一次基準チャネルに対するプリセットＲＲＵにおけるプリセットチャネルの対応関係を決定し、プリセットＲＲＵにおける全てのチャネルが基準ＲＲＵにおける全てのチャネルと同じ送受信応答比を有するように、対応関係に従って各サブキャリア上の、プリセットＲＲＵにおけるプリセットチャネルの送受信応答比を較正する必要があることに留意すべきである。
【０１０８】
図３に示されるＲＲＵ間でチャネルを較正するための方法は、処理モジュールを含むＲＲＵにも適用され得ることに留意すべきである。処理モジュールを含むＲＲＵは、較正信号の送信または特定のチャネルを介した較正信号の受信、較正係数の計算、チャネルの送受信応答比の較正などの動作を実行するなど、処理機能を有する。次に、プリセットＲＲＵは、前述の段階３０１から段階３０６を実行することにより、チャネルの送受信応答比を較正し得る。
【０１０９】
結論として、本発明の実施形態において提供されるＲＲＵ間でチャネルを較正するための方法によれば、ＢＢＵは、基準チャネルおよびプリセットＲＲＵにおけるプリセットチャネルを用いることにより全帯域幅におけるいくつかサブキャリア上で較正信号を送受信して較正係数を得るよう基準ＲＲＵに命令するだけでよい。これにより、ＢＢＵは、全帯域幅における基準ＲＲＵにおける基準チャネルに対するプリセットＲＲＵにおけるプリセットチャネルの較正係数を決定し、全帯域幅におけるプリセットＲＲＵにおけるプリセットチャネルの送受信応答比を較正し得る。これにより、ＲＲＵ間でのチャネルの較正中に各サブキャリア上で較正信号が送受信される必要があるという理由で発生する、リソース消費が比較的多いという問題が解決され、リソース消費が減少する。加えて、較正信号は、いくつかのサブキャリア上でのみ伝送される必要があり、それにより、較正信号の電力が減少する。
【０１１０】
本発明の実施形態において提供されるＲＲＵ間でチャネルを較正するための方法によれば、較正信号は、無線フレームのＧＰ間隔で送受信される。これにより、全帯域幅における全てのサブキャリア上で較正信号が送受信される場合、比較的多数のＧＰリソースが占有され、結果的にアップリンクサービスに対する干渉が増加するという問題が解決され、無線フレームのＧＰリソースの占有が減少し、アップリンクサービスに対する影響が軽減される。
【０１１１】
本発明の実施形態において提供されるＲＲＵ間でチャネルを較正するための方法によれば、ＢＢＵは、いくつかのサブキャリアのみに対応する較正係数を計算することが必要である。これにより、ＢＢＵの処理動作量が減少する。
【０１１２】
一例において、図１に示される基準ＲＲＵ、つまり、ＲＲＵ０におけるチャネル０が基準チャネルであり、プリセットＲＲＵ、つまり、ＲＲＵ１におけるチャネル０がプリセットチャネルである。全帯域幅が合計１０００個のサブキャリアを含むと仮定すると、ＢＢＵは、プリセットＲＲＵにおけるチャネル０およびチャネル０を用いることにより１５ｋＨｚという周波数を有するサブキャリアおよび４５ｋＨｚという周波数を有するサブキャリアで較正信号を送受信するよう基準ＲＲＵに命令し、１５ｋＨｚという周波数を有するサブキャリア上の、基準ＲＲＵにおけるチャネル０に対するプリセットＲＲＵにおけるチャネル０の較正係数α１＝１０×ｅｘｐ（ｊ×（９π＋７．８×１０５））と、４５ｋＨｚという周波数を有するサブキャリア上の、基準ＲＲＵにおけるチャネル０に対するプリセットＲＲＵにおけるチャネル０の較正係数α２＝１０×ｅｘｐ（ｊ×（１８π＋７．８×１０５））とを計算する。
【０１１３】
次に、ＢＢＵは、全帯域幅における基準ＲＲＵにおけるチャネル０に対するプリセットＲＲＵにおけるチャネル０の較正係数の遅延が
【数１４】
2019518381.tif 000016
であり、初期位相が
【数１５】
2019518381.tif 000017
であることを決定する。ＢＢＵは、第１の対応関係がαｆｎ＝１０＊ｅｘｐ（ｊ×（２πｆｎ×１５０×１０−６＋５π＋７．８×１０５））であることを決定する。
【０１１４】
１５ｋＨｚという周波数を有するサブキャリア上の、プリセットＲＲＵにおけるチャネル０の送受信応答比が、１５ｋＨｚという周波数を有するサブキャリア上の、計算によって得られる較正係数α１に従って較正される。同様に、４５ｋＨｚという周波数を有するサブキャリア上の、プリセットＲＲＵにおけるチャネル０の送受信応答比が、４５ｋＨｚという周波数を有するサブキャリア上の、計算によって得られる較正係数α２に従って較正される。１０００個のサブキャリアのうちの、１５ｋＨｚという周波数および４５ｋＨｚという周波数に対応するサブキャリアとは異なる別のサブキャリアの較正係数が、第１の対応関係に従って決定される。例えば、１０００個のサブキャリアのうちの、６０ｋＨｚという周波数を有するサブキャリアの較正係数が、α６０ｋＨＺ＝１０×ｅｘｐ（ｊ×（２π×６０×１０３×１５０×１０−６＋５π＋７．８×１０５））＝１０×ｅｘｐ（ｊ×（２３π＋７．８×１０５））と決定され、６０ｋＨｚという周波数を有するサブキャリア上の、プリセットＲＲＵにおけるチャネル０の送受信応答比が、較正係数α６０ｋＨＺに従って較正される。同様に、１０００個のサブキャリアのうちの別のサブキャリア上の、プリセットＲＲＵにおけるチャネル０の送受信応答比が、前述の方法を用いることにより較正される。
【０１１５】
任意選択で、前述の実施形態に基づく別の任意の実施形態において、プリセットＲＲＵは、少なくとも２つのプリセットチャネルを含む。前述の実施形態における段階３０１は、図４に示されるように、実装のために以下の段階で置き換えられ得る。
【０１１６】
段階４０１：プリセットＲＲＵにおける少なくとも２つのプリセットチャネルのうちの各プリセットチャネルに対応するＭ個のサブキャリアのうちの各サブキャリアについて、ＢＢＵが、基準チャネルおよびプリセットＲＲＵにおけるプリセットチャネルを用いることによりサブキャリア上で較正信号を送受信するよう基準ＲＲＵに命令する。
【０１１７】
プリセットＲＲＵにおける異なるプリセットチャネルに対応するＭ個のサブキャリアの周波数は異なる。プリセットＲＲＵにおける異なるプリセットチャネルに対応するＭ個のサブキャリアの数は、同じであるか、または異なる。つまり、Ｍの値は、同じであり得るか、または異なり得る。
【０１１８】
任意選択で、ＢＢＵは、プリセットＲＲＵにおける基準チャネルおよび少なくとも２つのプリセットチャネルを用いることによりプリセットＲＲＵにおける少なくとも２つのプリセットチャネルに対応するサブキャリア上で較正信号を同じ時間ドメインリソースで送受信するよう基準ＲＲＵに命令する。
【０１１９】
例えば、プリセットＲＲＵに含まれる２つのプリセットチャネルはそれぞれ、チャネル０およびチャネル１である。プリセットＲＲＵにおけるチャネル０は、周波数がそれぞれ１５ｋＨｚ、３０ｋＨｚおよび４５ｋＨｚである３つのサブキャリアに対応する。プリセットＲＲＵにおけるチャネル１は、周波数がそれぞれ６０ｋＨｚ、７５ｋＨｚ、９０ｋＨｚおよび１０５ｋＨｚである４つのサブキャリアに対応する。ＢＢＵは、プリセットＲＲＵにおける基準チャネルおよびチャネル０を用いることにより１５ｋＨｚ、３０ｋＨｚおよび４５ｋＨｚという周波数を有するサブキャリア上で較正信号をＬＴＥ  ＴＤＤシステムにおける１番目の無線フレームのスペシャルサブフレームのＧＰ間隔で送受信するよう基準ＲＲＵに命令し、基準ＲＲＵにおける基準チャネルおよびプリセットＲＲＵにおけるチャネル１を用いることにより６０ｋＨｚ、７５ｋＨｚ、９０ｋＨｚおよび１０５ｋＨｚという周波数を有するサブキャリア上で較正信号をＬＴＥ  ＴＤＤシステムにおける１番目の無線フレームのスペシャルサブフレームのＧＰ間隔で送受信するよう命令する。
【０１２０】
段階４０２：ＢＢＵが、プリセットチャネルに対応するサブキャリア上の、基準ＲＲＵにおける基準チャネルに対する各プリセットチャネルの較正係数を同じ時間ドメインリソースで計算する。プリセットＲＲＵにおける異なるプリセットチャネルに対応するサブキャリアの周波数は異なる。
【０１２１】
プリセットＲＲＵにおける少なくとも２つのプリセットチャネルのうちの各プリセットチャネルについて、プリセットチャネルに対応するＭ個のサブキャリア上の、基準ＲＲＵにおける基準チャネルに対するプリセットチャネルのＭ個の較正係数が計算によって得られた後に、全帯域幅における各サブキャリア上の、プリセットＲＲＵにおけるプリセットチャネルの送受信応答比が、前述の実施形態における段階３０２から段階３０６に示される方法を用いることにより較正される。
【０１２２】
任意選択で、ＢＢＵは、全帯域幅における各サブキャリア上の、プリセットＲＲＵにおける少なくとも２つのプリセットチャネルの送受信応答比を同じ時間ドメインリソースで較正する。
【０１２３】
実際の実装中、前述の段階４０１において、ＢＢＵが、基準チャネルおよびプリセットＲＲＵにおけるプリセットチャネルを用いることによりサブキャリア上で較正信号を送受信するよう基準ＲＲＵに命令した場合、および、プリセットＲＲＵが異なるプリセットチャネルを有する場合、基準ＲＲＵにおける基準チャネルは、異なるチャネルでもあり得ることに留意すべきである。基準ＲＲＵが自己較正を実行していない、つまり、異なる基準チャネルの送受信応答比が異なる場合、プリセットチャネルに対応する基準チャネルに対するプリセットチャネルの第１の対応関係が決定された後に、基準ＲＲＵは、プリセットＲＲＵにおける全てのチャネルが基準ＲＲＵにおける全てのチャネルと同じ送受信応答比を有するように自己較正を実行する。具体的な実装方法については、図３に示される実施形態に示される方法を参照されたい。詳細については、本実施形態において繰り返さない。
【０１２４】
結論として、本発明の実施形態において提供されるＲＲＵ間でチャネルを較正するための方法によれば、プリセットＲＲＵにおける複数のプリセットチャネルが、Ｍ個の異なるサブキャリアを用いる。これにより、ＢＢＵは、複数の第１の対応関係を同時に決定および取得すべく、基準ＲＲＵにおける基準チャネルおよびプリセットＲＲＵにおける複数のプリセットチャネルを同時に用いることにより異なるサブキャリア上で同時に較正信号を送受信するよう命令し得、決定された第１の対応関係に従って、プリセットＲＲＵにおける複数のチャネルの送受信応答比を較正し得る。これにより、プリセットＲＲＵにおける比較的多数のプリセットチャネルの送受信応答比が較正される必要がある場合、較正信号が較正のために連続的に送受信される必要があるという理由で発生する、較正期間が比較的長いという問題が解決され、較正期間が減少する。
【０１２５】
任意選択で、前述の実施形態に基づく別の任意の実施形態において、図１に示されるＲＲＵ間でチャネルを較正するためのシステムは、Ｋ個のＲＲＵを含み得る。Ｋ個のＲＲＵのうちの少なくとも１つのＲＲＵと他のＲＲＵとの間の信号品質値は、予め設定された閾値よりも大きい。Ｋ個のＲＲＵはスター型構造を形成し、Ｋ個のＲＲＵは１つの基準ＲＲＵおよび少なくとも２つのプリセットＲＲＵを含む。Ｋ≧３であり、Ｋは整数である。図５に示されるように、図５は、ＲＲＵ間でチャネルを較正するためのシステムが６つのＲＲＵを含み、６つのＲＲＵがスター型構造を形成する概略図の一例を示す。
【０１２６】
任意選択で、信号品質値は、信号強度または信号対ノイズ比である。２つのＲＲＵの間の信号強度は、１つのＲＲＵが任意のチャネルを用いることにより他のＲＲＵにおける任意のチャネルで情報を伝送する場合に伝送される信号の信号強度である。
【０１２７】
ＲＲＵ間でチャネルを較正するための方法が、図５に示されるＲＲＵ間でチャネルを較正するためのシステムに適用される場合、方法は、図６に示されるように、以下の段階をさらに含む。
【０１２８】
段階６０１：Ｋ個のＲＲＵのうちの少なくとも１つのＲＲＵと他のＲＲＵとの間の信号品質値が予め設定された閾値よりも大きい場合、ＢＢＵが、Ｋ個のＲＲＵのうちの他のＲＲＵとの間で最大信号品質値を有するＲＲＵを基準ＲＲＵとして用い、基準ＲＲＵにおける任意のチャネルを基準チャネルとして用い、Ｋ個のＲＲＵのうちの他のＲＲＵをプリセットＲＲＵとして用いる。
【０１２９】
Ｋ個のＲＲＵは、同じ信号を同じ端末装置へ連携して伝送するように構成されるＲＲＵである。本実施形態において、Ｋ個のＲＲＵは、Ｋ個のＲＲＵのうちの少なくとも１つのＲＲＵと他のＲＲＵとの間の信号品質値が予め設定された閾値よりも大きいことを条件としてスター型構造を形成することに留意すべきである。他のＲＲＵの間の信号品質値の大きさは、本実施形態において限定されない。
【０１３０】
任意選択で、Ｋ個のＲＲＵのうちのただ１つのＲＲＵと他のＲＲＵとの間の信号品質値が予め設定された閾値よりも大きい場合、そのＲＲＵと他のＲＲＵとの間の、予め設定された閾値よりも大きい信号品質値を有するＲＲＵが基準ＲＲＵとして決定され、Ｋ個のＲＲＵのうちの他のＲＲＵがプリセットＲＲＵである。
【０１３１】
任意選択で、Ｋ個のＲＲＵのうちの複数のＲＲＵと他のＲＲＵとの間の信号品質値が予め設定された閾値よりも大きい場合、他のＲＲＵとの間で最大信号品質値を有するＲＲＵが基準ＲＲＵとして決定されるか、または、複数のＲＲＵのうちの任意の１つが基準ＲＲＵとして選択され、Ｋ個のＲＲＵのうちの他のＲＲＵがプリセットＲＲＵである。ＲＲＵと他のＲＲＵとの間の最大信号品質値は、ＲＲＵと他のＲＲＵとの間の信号品質値の最大平均値であり得る。例えば、信号品質値は信号強度であり、ＲＲＵと他のＲＲＵとの間の最大信号強度を有するＲＲＵが基準ＲＲＵとして選択される。予め設定された閾値が−８０ｄｂｍであり、第１のＲＲＵと、３つのＲＲＵのうちの他の２つのＲＲＵとの間の信号強度が−６０ｄｂｍおよび−６４ｄｂｍであると仮定すると、平均値は−６２ｄｂｍである。第２のＲＲＵと他の２つのＲＲＵとの間の信号強度が−６６ｄｂｍおよび−７０ｄｂｍであると仮定すると、平均値は−６８ｄｂｍである。次に、第１のＲＲＵは、基準ＲＲＵとして決定される。
【０１３２】
予め設定された閾値は、システムにおいて予め設定された値であるか、またはユーザにより定義される値である。これは本実施形態において限定されない。
【０１３３】
異なるプリセットＲＲＵは、基準ＲＲＵにおける異なる基準チャネルに対応することもあり得ることに留意すべきである。例えば、基準ＲＲＵにおけるチャネル０が、プリセットＲＲＵ１に対応する基準チャネルであることが決定され、基準ＲＲＵにおけるチャネル１が、プリセットＲＲＵ２に対応する基準チャネルであることが決定される。次に、ＢＢＵが、プリセットＲＲＵ１におけるチャネル０およびプリセットチャネルを用いることにより較正信号を送受信するよう基準ＲＲＵに命令し、プリセットＲＲＵ２におけるチャネル１およびプリセットチャネルを用いることにより較正信号を送受信するよう基準ＲＲＵに命令する。
【０１３４】
２つのＲＲＵが情報の伝送を実行し得ない場合、２つのＲＲＵの間の信号品質値は、極めて小さい値であるとみなされ得ることに留意すべきである。例えば、信号品質値が信号強度である場合、２つのＲＲＵの間の信号強度は、−９０ｄｂｍまたはより小さい信号強度であるとみなされる。
【０１３５】
図５に示されるＲＲＵ間でチャネルを較正するためのシステムにおいて、ＲＲＵ５１０のみが、他のＲＲＵとの情報の伝送を実行し得る。従って、ＲＲＵ５１０は基準ＲＲＵであり、ＲＲＵ５２１、ＲＲＵ５２２、ＲＲＵ５２３、ＲＲＵ５２４およびＲＲＵ５２５は、プリセットＲＲＵである。
【０１３６】
前述の段階３０１は、実装のために以下の段階で置き換えられ得る。
【０１３７】
段階６０２：少なくとも２つのプリセットＲＲＵのうちの各プリセットＲＲＵにおけるプリセットチャネルに対応するＭ個のサブキャリアのうちの各サブキャリアについて、ＢＢＵが、基準チャネルおよびプリセットＲＲＵにおけるプリセットチャネルを用いることによりサブキャリア上で較正信号を送受信するよう基準ＲＲＵに命令する。
【０１３８】
異なるプリセットＲＲＵにおけるプリセットチャネルに対応するＭ個のサブキャリアの周波数は異なる。異なるプリセットＲＲＵにおけるプリセットチャネルに対応するＭ個のサブキャリアの数は、同じであるか、または異なる。つまり、Ｍの値は、同じであり得るか、または異なり得る。
【０１３９】
任意選択で、ＢＢＵは、少なくとも２つの基準チャネルおよびプリセットＲＲＵにおけるプリセットチャネルを用いることにより少なくとも２つのプリセットＲＲＵにおけるプリセットチャネルに対応するサブキャリア上で較正信号を同じ時間ドメインリソースで送受信するよう基準ＲＲＵに命令する。
【０１４０】
任意選択で、少なくとも２つのプリセットＲＲＵのうちの任意のプリセットＲＲＵは、１または複数のプリセットチャネルを含む。１つのプリセットＲＲＵが複数のプリセットチャネルを含む場合、異なるプリセットＲＲＵにおける異なるプリセットチャネルに対応するサブキャリアの周波数は異なり、対応するサブキャリアの数は、同じであるか、または異なる。次に、ＢＢＵは、複数のプリセットＲＲＵにおける基準チャネルおよび複数のプリセットチャネルを用いることにより、複数のプリセットＲＲＵにおける複数のプリセットチャネルに対応するサブキャリア上で較正信号を同じ時間ドメインリソースで送受信するよう基準ＲＲＵに命令する。
【０１４１】
例えば、図５に示されるＲＲＵ間でチャネルを較正するためのシステムにおけるプリセットＲＲＵ５２１、プリセットＲＲＵ５２２、プリセットＲＲＵ５２３、プリセットＲＲＵ５２４およびプリセットＲＲＵ５２５は各々、ただ１つのプリセットチャネルを含み、各プリセットＲＲＵにおけるチャネル０が、プリセットチャネルである。
【０１４２】
プリセットＲＲＵ５２１におけるチャネル０が、周波数がそれぞれ１５ｋＨｚおよび３０ｋＨｚである２つのサブキャリアに対応する。プリセットＲＲＵ５２２におけるチャネル０が、周波数がそれぞれ４５ｋＨｚ、６０ｋＨｚおよび７５ｋＨｚである３つのサブキャリアに対応する。プリセットＲＲＵ５２３におけるチャネル０が、周波数がそれぞれ９０ｋＨｚおよび１０５ｋＨｚである２つのサブキャリアに対応する。プリセットＲＲＵ５２４におけるチャネル０が、周波数がそれぞれ１３０ｋＨｚおよび１４５ｋＨｚである２つのサブキャリアに対応する。プリセットＲＲＵ５２５におけるチャネル０が、周波数がそれぞれ１６０ｋＨｚ、１７５ｋＨｚおよび１９０ｋＨｚである３つのサブキャリアに対応する。次に、ＢＢＵは、プリセットＲＲＵ５２１における基準チャネルおよびチャネル０を用いることにより１５ｋＨｚおよび３０ｋＨｚという周波数を有するサブキャリア上で較正信号を送受信し、プリセットＲＲＵ５２２における基準チャネルおよびチャネル０を用いることにより４５ｋＨｚ、６０ｋＨｚおよび７５ｋＨｚという周波数を有するサブキャリア上で較正信号を送受信し、プリセットＲＲＵ５２３における基準チャネルおよびチャネル０を用いることにより９０ｋＨｚおよび１０５ｋＨｚという周波数を有するサブキャリア上で較正信号を送受信し、プリセットＲＲＵ５２４における基準チャネルおよびチャネル０を用いることにより１３０ｋＨｚおよび１４５ｋＨｚという周波数を有するサブキャリア上で較正信号を送受信し、プリセットＲＲＵ５２５における基準チャネルおよびチャネル０を用いることにより１６０ｋＨｚ、１７５ｋＨｚおよび１９０ｋＨｚという周波数を有するサブキャリア上で較正信号を送受信するよう、ＬＴＥ  ＴＤＤシステムにおける１番目の無線フレームのスペシャルサブフレームのＧＰ間隔で基準ＲＲＵ５１０に命令し得る。
【０１４３】
段階６０３：ＢＢＵが、プリセットＲＲＵにおけるプリセットチャネルに対応するサブキャリア上の、基準ＲＲＵにおける基準チャネルに対する各プリセットＲＲＵにおけるプリセットチャネルの較正係数を同じ時間ドメインリソースで計算する。異なるプリセットＲＲＵにおけるプリセットチャネルに対応するサブキャリアの周波数は異なる。
【０１４４】
少なくとも２つのプリセットＲＲＵのうちの各プリセットＲＲＵにおけるプリセットチャネルについて、プリセットＲＲＵに対応するＭ個のサブキャリア上の、基準ＲＲＵにおける基準チャネルに対するプリセットＲＲＵにおけるプリセットチャネルのＭ個の較正係数が計算によって得られた後に、全帯域幅における各サブキャリア上の、プリセットＲＲＵにおけるプリセットチャネルの送受信応答比が、前述の実施形態における段階３０２から段階３０６において示される方法を用いることにより較正される。
【０１４５】
任意選択で、ＢＢＵは、全帯域幅における各サブキャリア上の、少なくとも２つのプリセットＲＲＵにおけるプリセットチャネルの送受信応答比を同じ時間ドメインリソースで較正する。
【０１４６】
実際の実装中、前述の段階６０２において、ＢＢＵが、基準チャネルおよびプリセットＲＲＵにおけるプリセットチャネルを用いることによりサブキャリア上で較正信号を送受信するよう基準ＲＲＵに命令した場合、基準ＲＲＵにおける基準チャネルは、異なるプリセットＲＲＵにおけるプリセットチャネルとは異なり得ることに留意すべきである。１つのプリセットＲＲＵが複数のプリセットチャネルを含む場合、基準ＲＲＵにおける基準チャネルも、プリセットＲＲＵにおける異なるプリセットチャネルとは異なり得る。基準ＲＲＵが自己較正を実行していない、つまり、異なる基準チャネルの送受信応答比が異なる場合、プリセットチャネルに対応する基準チャネルに対するプリセットチャネルの第１の対応関係が決定された後に、基準ＲＲＵは、プリセットＲＲＵにおける全てのチャネルが基準ＲＲＵにおける全てのチャネルと同じ送受信応答比を有するように自己較正を実行する。具体的な実装方法については、図３に示される実施形態に示される方法を参照されたい。詳細については、本実施形態において繰り返さない。
【０１４７】
結論として、本発明の実施形態において提供されるＲＲＵ間でチャネルを較正するための方法によれば、複数のプリセットＲＲＵにおけるプリセットチャネルが、Ｍ個の異なるサブキャリアを用いる。これにより、ＢＢＵは、複数の第１の対応関係を同時に決定および取得すべく、基準ＲＲＵにおける基準チャネルおよび複数のプリセットＲＲＵにおけるプリセットチャネルを同時に用いることにより異なるサブキャリア上で同時に較正信号を送受信するよう命令し得、決定された第１の対応関係に従って、プリセットＲＲＵにおける複数のチャネルの送受信応答比を較正し得る。これにより、比較的多数のプリセットＲＲＵのチャネルの送受信応答比が連続的に較正される必要がある場合に発生する、較正期間が比較的長いという問題が解決され、ＲＲＵの複数のペアが同時に較正信号を送受信し得、互いに干渉しないことが実装され、較正期間が減少する。
【０１４８】
任意選択で、前述の実施形態に基づく別の任意の実施形態において、図１に示されるＲＲＵ間でチャネルを較正するためのシステムは、Ｋ個のＲＲＵを含み得る。Ｋ個のＲＲＵのうちの各ＲＲＵと２つの近接するＲＲＵとの間の信号品質値は、予め設定された閾値よりも大きい。Ｋ個のＲＲＵはチェーン構造を形成する。Ｋ≧３であり、Ｋは整数である。図７に示されるように、図７は、ＲＲＵ間でチャネルを較正するためのシステムが６つのＲＲＵを含み、６つのＲＲＵがチェーン構造を形成する概略図の一例を示す。
【０１４９】
任意選択で、信号品質値は、信号強度または信号対ノイズ比である。２つのＲＲＵの間の信号強度は、１つのＲＲＵが任意のチャネルを用いることにより他のＲＲＵにおける任意のチャネルで情報を伝送する場合に伝送される信号の信号強度である。
【０１５０】
予め設定された閾値は、システムにおいて予め設定された値であるか、またはユーザにより定義される値である。これは本実施形態において限定されない。
【０１５１】
任意選択で、チェーン構造を形成するＫ個のＲＲＵについて、多くても２つのＲＲＵとただ１つの近接するＲＲＵとの間の信号品質値は、予め設定された閾値よりも大きい。
【０１５２】
図７に示されるように、ＲＲＵ７２０、ＲＲＵ７３０、ＲＲＵ７４０およびＲＲＵ７５０のうちの各ＲＲＵと、２つの近接するＲＲＵとの間の信号品質値は、予め設定された閾値よりも大きい。ＲＲＵ７２０は、一例として用いられている。ＲＲＵ７２０とＲＲＵ７１０との間の信号品質値およびＲＲＵ７２０とＲＲＵ７３０との間の信号品質値は、予め設定された閾値よりも大きい。６つのＲＲＵのうち、ＲＲＵ７１０について、予め設定された閾値よりも大きい信号品質値は、ＲＲＵ７１０とＲＲＵ７２０との間にのみ存在し、ＲＲＵ７６０について、予め設定された閾値よりも大きい信号品質値は、ＲＲＵ７６０とＲＲＵ７５０との間にのみ存在する。
【０１５３】
任意選択で、Ｋ個のＲＲＵのうちの各ＲＲＵと２つの近接するＲＲＵとの間の信号品質値が予め設定された閾値よりも大きい場合、ＢＢＵは、Ｋ個のＲＲＵのうちの１つおきのＲＲＵを基準ＲＲＵとして用い、基準ＲＲＵにおける任意のチャネルを基準チャネルとして用い、Ｋ個のＲＲＵのうちの他のＲＲＵをプリセットＲＲＵとして用いる。各基準ＲＲＵは、基準ＲＲＵに隣接する２つのＲＲＵに対応する基準ＲＲＵであり、Ｋ≧３である。
【０１５４】
Ｋ個のＲＲＵは、同じ信号を同じ端末装置へ連携して伝送するように構成されるＲＲＵである。Ｋ個のＲＲＵにより形成される構造は、Ｋ個のＲＲＵのうちの多くても２つのＲＲＵと１つの接続されたＲＲＵとの間の信号品質値が予め設定された閾値よりも大きいこと、および多くても２つのＲＲＵ以外の各ＲＲＵと２つの近接するＲＲＵとの間の信号品質値が予め設定された閾値よりも大きいことを条件として、本実施形態においてチェーン接続に属することに留意すべきである。実際のシステムにおいて、各ＲＲＵと他のいくつかのＲＲＵとの間の信号品質値は、予め設定された閾値よりも大きいこともあり得る。これは本実施形態において限定されない。
【０１５５】
図７に示されるＲＲＵ間でチャネルを較正するためのシステムにおいて、ＢＢＵが、ＲＲＵ１  ７１０、ＲＲＵ３  ７３０およびＲＲＵ５  ７５０が基準ＲＲＵであり、ＲＲＵ２  ７２０、ＲＲＵ４  ７４０およびＲＲＵ６  ７６０がプリセットＲＲＵであり、ＲＲＵ１  ７１０はＲＲＵ２  ７２０に対応する基準ＲＲＵであり、ＲＲＵ３  ７３０はＲＲＵ２  ７２０およびＲＲＵ４  ７４０に対応する基準ＲＲＵであり、ＲＲＵ５  ７５０はＲＲＵ４  ７４０およびＲＲＵ６  ７６０に対応する基準ＲＲＵであることを決定するものと仮定する。ＲＲＵ間でチャネルを較正するための方法が図７に示されるＲＲＵ間でチャネルを較正するためのシステムに適用される場合、前述の段階３０６は、図８Ａに示されるように、実装のために以下の段階で置き換えられ得る。
【０１５６】
段階８０１：ＢＢＵが、プリセットＲＲＵにおけるプリセットチャネルに対応する基準ＲＲＵにおける基準チャネルに対するプリセットＲＲＵにおけるプリセットチャネルの第１の対応関係に従って、一次基準ＲＲＵにおける基準チャネルに対する各プリセットＲＲＵにおけるプリセットチャネルの第２の対応関係を決定する。
【０１５７】
第２の対応関係は、全帯域幅における各サブキャリアの周波数と第２の較正係数との間の対応関係を含む。第２の較正係数は、サブキャリア上の、一次基準ＲＲＵにおける基準チャネルに対するプリセットＲＲＵにおけるプリセットチャネルの較正係数である。一次基準ＲＲＵは、Ｋ個のＲＲＵのうちの任意のＲＲＵである。
【０１５８】
各プリセットＲＲＵにおけるプリセットチャネルに対応する基準ＲＲＵにおける基準チャネルに対する各プリセットＲＲＵにおけるプリセットチャネルの各第１の対応関係を決定するための方法については、前述の段階３０２から段階３０６を参照されたい。詳細については、実施形態において繰り返さない。
【０１５９】
例えば、前述の例において、ＢＢＵは、基準ＲＲＵ１における基準チャネルに対するプリセットＲＲＵ２におけるプリセットチャネルの較正係数がα２１であることを決定し、基準ＲＲＵ３における基準チャネルに対するプリセットＲＲＵ２におけるプリセットチャネルの較正係数がα23であることを決定し、基準ＲＲＵ３における基準チャネルに対するプリセットＲＲＵ４におけるプリセットチャネルの較正係数がα４３であることを決定し、基準ＲＲＵ５における基準チャネルに対するプリセットＲＲＵ４におけるプリセットチャネルの較正係数がα４５であるであることを決定し、基準ＲＲＵ５における基準チャネルに対するプリセットＲＲＵ６におけるプリセットチャネルの較正係数がα６５であることを決定する。
【０１６０】
ＲＲＵ３が一次基準ＲＲＵとして決定された場合、各サブキャリア上で、
【数１６】
2019518381.tif 000018
であり、ここで、Ｇ３は、ＲＲＵ３におけるプリセットチャネルの送受信応答比を示し、Ｇ２は、ＲＲＵ２におけるプリセットチャネルの送受信応答比を示し、
【数１７】
2019518381.tif 000019
であり、ここで、Ｇ１は、ＲＲＵ１におけるプリセットチャネルの送受信応答比を示す。
この方式において、各サブキャリア上の、一次基準ＲＲＵ３における基準チャネルに対するＲＲＵ１におけるプリセットチャネルの較正係数が、
【数１８】
2019518381.tif 000020
として決定される。従って、一次基準ＲＲＵにおける基準チャネルに対するプリセットＲＲＵ１におけるプリセットチャネルの第２の対応関係が、基準ＲＲＵ３における基準チャネルに対するプリセットＲＲＵ２におけるプリセットチャネルの第１の対応関係と、基準ＲＲＵ１における基準チャネルに対するプリセットＲＲＵ２におけるプリセットチャネルの第１の対応関係との比として決定される。ＢＢＵは、前述の方法に従って、一次基準ＲＲＵにおける基準チャネルに対する各プリセットＲＲＵにおけるプリセットチャネルの第２の対応関係を決定する。
【０１６１】
段階８０２：ＢＢＵが、決定された第２の対応関係に従って、各サブキャリア上の、プリセットＲＲＵにおけるプリセットチャネルの送受信応答比を較正する。
【０１６２】
任意選択で、前述の実施形態に基づく別の任意の実施形態において、Ｋ個のＲＲＵが少なくとも２つのプリセットＲＲＵを含む場合、前述の段階３０１は、図８Ｂに示されるように、実装のために以下の段階で置き換えられ得る。
【０１６３】
段階８０５：少なくとも２つのプリセットＲＲＵのうちの各プリセットＲＲＵにおけるプリセットチャネルに対応するＭ個のサブキャリアのうちの各サブキャリアについて、ＢＢＵが、プリセットＲＲＵにおけるプリセット基準チャネルおよびプリセットチャネルを用いることによりサブキャリア上で較正信号を送受信するよう命令する。プリセット基準チャネルは、プリセットＲＲＵに対応する基準ＲＲＵにおける基準チャネルである。
【０１６４】
異なるプリセットＲＲＵにおけるプリセットチャネルに対応するＭ個のサブキャリアの周波数は異なる。異なるプリセットＲＲＵにおけるプリセットチャネルに対応するＭ個のサブキャリアの数は、同じであるか、または異なる。つまり、Ｍの値は、同じであり得るか、または異なり得る。異なるプリセットＲＲＵにおけるプリセットチャネルは、同じプリセット基準チャネルまたは異なるプリセット基準チャネルに対応する。
【０１６５】
任意選択で、ＢＢＵは、少なくとも２つのプリセットＲＲＵに対応する基準ＲＲＵにおける基準チャネルと、少なくとも２つのプリセットＲＲＵにおけるプリセットチャネルとを別々に用いることにより少なくとも２つのプリセットＲＲＵにおけるプリセットチャネルに対応するサブキャリア上で較正信号を同じ時間ドメインリソースで送受信するよう基準ＲＲＵに命令する。１つのプリセットＲＲＵが、１つまたは２つの基準ＲＲＵに対応する。１つのプリセットＲＲＵが２つの基準ＲＲＵに対応する場合、異なる基準ＲＲＵにおける基準チャネルに対する同じプリセットＲＲＵにおけるプリセットチャネルに対応するサブキャリアの周波数およびサブキャリアの数は異なり得、ＢＢＵは、２つの基準ＲＲＵにおける基準チャネルおよびプリセットＲＲＵにおけるプリセットチャネルを用いることにより異なるサブキャリア上で較正信号を同じ時間ドメインリソースで送受信するよう２つの基準ＲＲＵに命令する。
【０１６６】
例えば、図７に示されるＲＲＵ間でチャネルを較正するためのシステムに含まれるプリセットＲＲＵ２  ７２０、プリセットＲＲＵ４  ７４０およびプリセットＲＲＵ６  ７６０は各々、ただ１つのプリセットチャネルを含み、各プリセットＲＲＵにおけるチャネル０が、プリセットチャネルである。
【０１６７】
基準ＲＲＵ１  ７１０に対するプリセットＲＲＵ２  ７２０におけるチャネル０が、周波数がそれぞれ１５ｋＨｚおよび３０ｋＨｚである２つのサブキャリアに対応する。基準ＲＲＵ３  ７３０に対するプリセットＲＲＵ２  ７２０におけるチャネル０が、周波数がそれぞれ４５ｋＨｚおよび６０ｋＨｚである２つのサブキャリアに対応する。基準ＲＲＵ３  ７３０に対するプリセットＲＲＵ４  ７４０におけるチャネル０が、周波数がそれぞれ７５ｋＨｚおよび９０ｋＨｚである２つのサブキャリアに対応する。基準ＲＲＵ５  ７５０に対するプリセットＲＲＵ４  ７４０におけるチャネル０が、周波数がそれぞれ１０５ｋＨｚ、１２０ｋＨｚおよび１３５ｋＨｚである３つのサブキャリアに対応する。基準ＲＲＵ５  ７５０に対するプリセットＲＲＵ６  ７６０におけるチャネル０が、周波数がそれぞれ１５０ｋＨｚおよび１６５ｋＨｚである２つのサブキャリアに対応する。
【０１６８】
ＬＴＥ  ＴＤＤシステムにおける１番目の無線フレームのスペシャルサブフレームのＧＰ間隔で、ＢＢＵは、プリセットＲＲＵ２に対応する基準ＲＲＵ１における基準チャネルおよびプリセットＲＲＵ２におけるプリセットチャネルを用いることにより１５ｋＨｚおよび３０ｋＨｚという周波数を有するサブキャリア上で較正信号を送受信するよう命令し、プリセットＲＲＵ２に対応する基準ＲＲＵ３における基準チャネルおよびプリセットＲＲＵ２におけるプリセットチャネルを用いることにより４５ｋＨｚおよび６０ｋＨｚという周波数を有するサブキャリア上で較正信号を送受信するよう命令し、プリセットＲＲＵ４に対応する基準ＲＲＵ３における基準チャネルおよびプリセットＲＲＵ４におけるプリセットチャネルを用いることにより７５ｋＨｚおよび９０ｋＨｚという周波数を有するサブキャリア上で較正信号を送受信するよう命令し、プリセットＲＲＵ４に対応する基準ＲＲＵ５における基準チャネルおよびプリセットＲＲＵ４におけるプリセットチャネルを用いることにより１０５ｋＨｚ、１２０ｋＨｚおよび１３５ｋＨｚという周波数を有するサブキャリア上で較正信号を送受信するよう命令し、プリセットＲＲＵ６に対応する基準ＲＲＵ５における基準チャネルおよびプリセットＲＲＵ６におけるプリセットチャネルを用いることにより１５０ｋＨｚおよび１６５ｋＨｚという周波数を有するサブキャリア上で較正信号を送受信するよう命令する。
【０１６９】
任意選択で、少なくとも２つのＲＲＵのうちの任意のプリセットＲＲＵは、１または複数のプリセットチャネルを含む。１つのプリセットＲＲＵが複数のプリセットチャネルを含む場合、異なるプリセットＲＲＵにおける異なるプリセットチャネルに対応するサブキャリアの周波数は異なり、対応するサブキャリアの数は、同じであるか、または異なる。次に、ＢＢＵは、プリセットＲＲＵに対応する基準ＲＲＵおよび複数のプリセットＲＲＵにおける複数のプリセットチャネルを用いることにより、複数のプリセットＲＲＵにおける複数のプリセットチャネルに対応するサブキャリア上で較正信号を同じ時間ドメインリソースで送受信するよう命令する。
【０１７０】
段階８０６：ＢＢＵが、プリセット基準チャネルに対する各プリセットＲＲＵにおけるプリセットチャネルの較正係数を同じ時間ドメインリソースで計算する。較正係数は、プリセットＲＲＵにおけるプリセットチャネルに対応するサブキャリア上の、プリセット基準チャネルに対するプリセットＲＲＵにおけるプリセットチャネルの較正係数であり、異なるプリセットＲＲＵにおけるプリセットチャネルに対応するサブキャリアの周波数は異なる。
【０１７１】
前述の例において、ＢＢＵは、同じ時間ドメインリソースで、１５ｋＨｚおよび３０ｋＨｚという周波数を有するサブキャリア上の、基準ＲＲＵ１における基準チャネルに対するプリセットＲＲＵ２におけるプリセットチャネルの較正係数を計算し、４５ｋＨｚおよび６０ｋＨｚという周波数を有するサブキャリア上の、基準ＲＲＵ３における基準チャネルに対するプリセットＲＲＵ２におけるプリセットチャネルの較正係数を計算し、７５ｋＨｚおよび９０ｋＨｚという周波数を有するサブキャリア上の、基準ＲＲＵ３における基準チャネルに対するプリセットＲＲＵ４におけるプリセットチャネルの較正係数を計算し、１０５ｋＨｚ、１２０ｋＨｚおよび１３５ｋＨｚという周波数を有するサブキャリア上の、基準ＲＲＵ５における基準チャネルに対するプリセットＲＲＵ４におけるプリセットチャネルの較正係数を計算し、１５０ｋＨｚおよび１６５ｋＨｚという周波数を有するサブキャリア上の、基準ＲＲＵ５における基準チャネルに対するプリセットＲＲＵ６におけるプリセットチャネルの較正係数を計算する。
【０１７２】
実際の実装中、前述の段階８０５において、ＢＢＵが、プリセットＲＲＵにおけるプリセット基準チャネルおよびプリセットチャネルを用いることによりサブキャリア上で較正信号を送受信するよう基準ＲＲＵに命令した場合、プリセット基準チャネルは、異なるプリセットＲＲＵとは異なり得ることに留意すべきである。１つのプリセットＲＲＵが複数のプリセットチャネルを含む場合、プリセット基準チャネルも、プリセットＲＲＵにおける異なるプリセットチャネルとは異なり得る。基準ＲＲＵが自己較正を実行していない、つまり、異なる基準チャネルの送受信応答比が異なる場合、プリセットチャネルに対応する基準チャネルに対するプリセットチャネルの第１の対応関係が決定された後に、基準ＲＲＵは、プリセットＲＲＵにおける全てのチャネルが基準ＲＲＵにおける全てのチャネルと同じ送受信応答比を有するように自己較正を実行する。具体的な実装方法については、図３に示される実施形態に示される方法を参照されたい。詳細については、本実施形態において繰り返さない。
【０１７３】
結論として、本発明の実施形態において提供されるＲＲＵ間でチャネルを較正するための方法によれば、複数のプリセットＲＲＵにおけるプリセットチャネルが、Ｍ個の異なるサブキャリアを用いる。これにより、ＢＢＵは、複数の第１の対応関係を同時に決定および取得すべく、基準ＲＲＵにおける基準チャネルおよび複数のプリセットＲＲＵにおけるプリセットチャネルを同時に用いることにより異なるサブキャリア上で同時に較正信号を送受信するよう命令し得、決定された第１の対応関係に従って、プリセットＲＲＵにおける複数のチャネルの送受信応答比を較正し得る。これにより、比較的多数のプリセットＲＲＵのチャネルの送受信応答比が連続的に較正される必要がある場合に発生する、較正期間が比較的長いという問題が解決され、ＲＲＵの複数のペアが同時に較正信号を送受信し得、互いに干渉しないことが実装され、較正期間が減少する。
【０１７４】
前述の実施形態に基づく別の任意の実施形態において、前述の方法は、チャネルの送受信応答比を較正するために、複数の隣接するクラスタにおけるＲＲＵ間で同時に用いられ得る。クラスタは、チャネルの必要送受信応答比が同じであるＲＲＵのセットである。複数の隣接するクラスタの概略構造図が、図９に示される。
【０１７５】
クラスタ９１０およびクラスタ９２０は、２つの隣接するクラスタである。１つのクラスタが、１または複数のプリセットＲＲＵを含み得る。１つのクラスタが複数のプリセットＲＲＵを含む場合、そのクラスタにおけるＲＲＵが、図５に示されるスター型構造、図７に示されるチェーン構造、または別の連通構造を形成し得る。異なるクラスタにおけるＲＲＵの連通構造は、同じであり得るか、または異なり得る。これは本実施形態において限定されない。図９は、クラスタ９１０におけるＲＲＵおよびクラスタ９２０におけるＲＲＵが各々スター型構造を形成する概略図の一例を示す。
【０１７６】
異なるクラスタに含まれるＲＲＵの数は、同じであり得るか、または異なり得る。同じクラスタにおけるＲＲＵは、同じ信号を同じ端末装置へ連携して伝送するように構成される。異なるクラスタにおけるＲＲＵは、異なる信号を異なる端末へ伝送するように構成される。
【０１７７】
複数の隣接するクラスタのうちの各クラスタに含まれる各プリセットＲＲＵにおけるプリセットチャネルの、クラスタにおける基準ＲＲＵにおける基準チャネルに対する送受信応答比が、図６の実施形態において示されるか、または図８Ａおよび図８Ｂの実施形態において示される方法を用いることにより較正される。
【０１７８】
あるクラスタにおけるあるプリセットＲＲＵにおけるプリセットチャネルに対応するＭ個のサブキャリアの周波数は、そのプリセットＲＲＵが位置するクラスタに隣接するクラスタにおけるＲＲＵにおけるチャネルに対応するサブキャリアの周波数とは異なる。
【０１７９】
例えば、クラスタ９１０について、プリセットＲＲＵ９１２に対応する、周波数が１５ｋＨｚ、３０ｋＨｚおよび４５ｋＨｚであるサブキャリア上で、基準ＲＲＵ９１１における基準チャネルおよびプリセットＲＲＵ９１２におけるプリセットチャネルを用いることにより、較正信号が送受信される。クラスタ９２０について、プリセットＲＲＵ９２２に対応する、周波数が６０ｋＨｚ、７５ｋＨｚおよび９０ｋＨｚであるサブキャリア上で、基準ＲＲＵ９２１における基準チャネルおよびプリセットＲＲＵ９２２におけるプリセットチャネルを用いることにより、較正信号が同じ時間ドメインリソースで送受信される。
【０１８０】
結論として、本発明の実施形態において提供されるＲＲＵ間でチャネルを較正するための方法によれば、複数のクラスタにおけるＲＲＵにおけるチャネルに対応するサブキャリアの周波数は異なる。これにより、隣接するクラスタにおけるＲＲＵが較正信号を同時に送受信し得、互いに干渉しないということが実装され、隣接するクラスタにおけるＲＲＵ間の較正信号の干渉が減少する。
【０１８１】
前述の実施形態に基づく別の任意の実施形態において、遅延が変わる場合、方法は、図１０に示されるように、以下の段階をさらに含む。
【０１８２】
段階１００１：全帯域幅におけるＪ個のサブキャリアのうちの各サブキャリアについて、ＢＢＵが、サブキャリア上の、基準ＲＲＵにおける基準チャネルに対するプリセットＲＲＵにおけるプリセットチャネルの較正係数を決定する。１≦Ｊ≦Ｎであり、Ｊは整数である。
【０１８３】
任意選択で、全帯域幅におけるＪ個のサブキャリアのうちの各サブキャリアについて、ＢＢＵは、サブキャリア上の、基準ＲＲＵにおける基準チャネルに対するプリセットＲＲＵにおけるプリセットチャネルの較正係数を予め定められた時間間隔で決定する。予め定められた時間間隔の長さは、システムにおいて予め設定されたものであるか、またはユーザにより定義される。これは本実施形態において限定されない。
【０１８４】
遅延は、ある環境における電界および温度などの要因の変化に起因して変わる。これにより、較正係数が変わり、第１の対応関係も変わる。第１の対応関係の位相は、φｆｎ＝２πｆｎ×τ＋φ０である。実際の実装中、φ０＝２πｆｃ×τである。ｆｎはサブキャリアの周波数であり、ｆｃは変調のためにＲＲＵにより用いられる高周波数キャリアのキャリア周波数である。一般に、高周波数キャリアは、２．５ＧＨｚまたは２．６ＧＨｚなどの高周波数を有する。しかしながら、サブキャリアの周波数ｆｎは通常、１５ｋＨｚ、３０ｋＨｚまたは４５ｋＨｚなどの低周波数である。高周波数キャリアのキャリア周波数ｆｃは、サブキャリアの周波数ｆｎよりも非常に大きい。従って、遅延τが変わった場合、Δ２πｆｃ×τは、Δ２πｆｎ×τよりも非常に大きい。つまり、Δφ０は、Δ２πｆｎ×τよりも非常に大きい。初期位相φ０ははるかに大きく変わり、第１の対応関係に対してより大きな影響を及ぼす。第１の対応関係が更新された場合、計算量を誤差範囲内へと減少させるために、更新は、φ０へのみ、なされ得る。
【０１８５】
本実施形態における第１の対応関係は、図２から図９に示される実施形態において提供される方法を用いることによりいくつかのサブキャリア上で較正信号を送受信することにより決定される第１の対応関係であり得るか、または、従来技術を用いることにより全帯域幅において較正信号を送受信することにより計算によって得られる第１の対応関係であり得ることに留意すべきである。これは本実施形態において限定されない。
【０１８６】
Ｊ個のサブキャリアのうちの各サブキャリアについて、サブキャリア上尾基準ＲＲＵにおける基準チャネルに対するプリセットＲＲＵにおけるプリセットチャネルの較正係数を決定するための方法は、前述の段階３０１において示される方法により決定され得る。
【０１８７】
段階１００２：Ｊ個の較正係数の初期位相に従って、全帯域幅における基準ＲＲＵにおける基準チャネルに対するプリセットＲＲＵにおけるプリセットチャネルの較正係数の更新済み初期位相を決定する。
【０１８８】
この段階を実装するための具体的な方法については、前述の段階３０３を参照されたい。詳細については、本実施形態において繰り返さない。
【０１８９】
段階１００３：更新済み初期位相および遅延に従って第１の対応関係を更新する。
【０１９０】
この段階を実装するための具体的な方法については、前述の段階３０４および段階３０５を参照されたい。詳細については、本実施形態において繰り返さない。
【０１９１】
結論として、本発明の実施形態において提供されるＲＲＵ間でチャネルを較正するための方法によれば、遅延が変わる場合、サブキャリア上で較正信号を再送受信することなく、較正係数の初期位相を再測定し、次に、新たな第一の対応関係を決定することのみにより第１の対応関係を更新することを決定し得る。これにより、ＢＢＵの処理動作量が減少する。
【０１９２】
図１１を参照すると、図１１は、本発明の一実施形態の一例によるＲＲＵ間でチャネルを較正するための装置の概略構造図を示す。ＲＲＵ間でチャネルを較正するための装置は、ハードウェア、ソフトウェアまたはそれらの組み合わせにより、ＢＢＵ全体またはＢＢＵの一部として実装され得る。ＲＲＵ間でチャネルを較正するための装置は、プロセッサ１１１０と、プロセッサ１１１０に接続されたメモリ１１２０と、バス１１３０とを含む。当業者であれば、図１１に示されるＲＲＵ間でチャネルを較正するための装置の構造が、ＲＲＵ間でチャネルを較正するための装置に対する限定を構成しないことを理解し得る。ＲＲＵ間でチャネルを較正するための装置は、図に示されるものより多い、またはより少ないコンポーネントを含み得るか、または、コンポーネントは、組み合わされ得るか、もしくは異なるコンポーネントの配置が用いられる。例えば、ＲＲＵ間でチャネルを較正するための装置は、送信機１１５０、受信機１１６０、電源（図１１に示されない）等をさらに含む。
【０１９３】
プロセッサ１１１０は、様々なインタフェースおよびラインを用いることによりＲＲＵ間でチャネルを較正するための装置全体の全ての部品を接続する、ＲＲＵ間でチャネルを較正するための装置のコントロールセンタであり、メモリ１１２０に格納されたソフトウェアプログラムおよび／またはモジュールを動作させるかまたは実行することにより、かつ、メモリ１１２０に格納されたデータを呼び出すことにより、ＲＲＵ間でチャネルを較正するための装置の様々な機能を実行し、データを処理する。任意選択で、プロセッサ１１１０は、１または複数の処理コアを含み得る。任意選択で、プロセッサ１１１０は、アプリケーションプロセッサおよびモデムプロセッサと統合され得る。アプリケーションプロセッサは主に、オペレーティングシステム、ユーザインタフェース、アプリケーションプログラム等を処理する。モデムプロセッサは主に、無線通信を処理する。前述のモデムプロセッサはプロセッサ１１１０に統合され得ないこと、および前述のモデムプロセッサは独立のチップとして実装され得ることが理解され得る。
【０１９４】
メモリ１１２０は、バス１１３０を用いることにより、プロセッサ１１１０に接続されている。
【０１９５】
メモリ１１２０は、ソフトウェアプログラムおよびモジュールを格納するように構成され得る。プロセッサ１１１０は、メモリ１１２０に格納されたソフトウェアプログラムおよびモジュールを動作させることにより、様々な機能アプリケーションを実行し、データを処理する。メモリ１１２０は、少なくとも１つの機能のアプリケーションプログラムモジュール１１４０を格納し得る。アプリケーションプログラムモジュール１１４０は、処理モジュール１１４１を含み得る。プロセッサ１１１０は、メモリ１１２０に格納されたモジュールを呼び出すことにより、前述の実施形態におけるＲＲＵ間でチャネルを較正するための方法を実行する。
【０１９６】
加えて、メモリ１１２０は、スタティックランダムアクセスメモリ（ＳＲＡＭ）、電気消去可能プログラマブルリードオンリメモリ（ＥＥＰＲＯＭ）、消去可能プログラマブルリードオンリメモリ（ＥＰＲＯＭ）、プログラマブルリードオンリメモリ（ＰＲＯＭ）、リードオンリメモリ（ＲＯＭ）または磁気メモリなど、任意のタイプの揮発性ストレージデバイスもしくは不揮発性ストレージデバイスまたはそれらの組み合わせにより実装され得る。
【０１９７】
図１２を参照すると、図１２は、本発明の一実施形態によるＲＲＵ間でチャネルを較正するための装置の概略構造図を示す。装置は、ハードウェア、ソフトウェアまたはそれらの組み合わせにより、ＢＢＵ全体またはＢＢＵの一部として実装され得る。図１２に示されるように、ＲＲＵ間でチャネルを較正するための装置は、処理ユニット１２１０を含み得る。
【０１９８】
処理ユニット１２１０は、全帯域幅におけるＭ個のサブキャリアのうちの各サブキャリアについて、基準チャネルおよびプリセットＲＲＵにおけるプリセットチャネルを用いることによりサブキャリア上で較正信号を送受信するよう基準ＲＲＵに命令し、サブキャリア上の、基準ＲＲＵにおける基準チャネルに対するプリセットＲＲＵにおけるプリセットチャネルの較正係数を計算するように構成される。２≦Ｍ＜Ｎであり、Ｎは全帯域幅におけるサブキャリアの総数であり、ＭおよびＮの両方は整数である。
【０１９９】
処理ユニット１２１０はさらに、計算によって得たＭ個の較正係数に従って第１の対応関係を決定するように構成される。第１の対応関係は、全帯域幅における各サブキャリアの周波数と第１の較正係数との間の対応関係を含み、第１の較正係数は、サブキャリア上の、基準ＲＲＵにおける基準チャネルに対するプリセットＲＲＵにおけるプリセットチャネルの較正係数である。
【０２００】
処理ユニット１２１０はさらに、第１の対応関係に従って、各サブキャリア上の、プリセットＲＲＵにおけるプリセットチャネルの送受信応答比を較正するように構成される。
【０２０１】
任意選択で、処理ユニット１２１０はさらに、Ｍ個の較正係数に従って、全帯域幅における基準ＲＲＵにおける基準チャネルに対するプリセットＲＲＵにおけるプリセットチャネルの較正係数の初期位相および遅延を決定するように構成される。
【０２０２】
処理ユニット１２１０はさらに、初期位相および遅延に従って第１の対応関係を決定するように構成される。
【０２０３】
任意選択で、処理ユニット１２１０はさらに、Ｍ個の較正係数のうちの各較正係数について、較正係数の位相を決定するように構成される。
【０２０４】
処理ユニット１２１０はさらに、Ｍ個の位相と各較正係数に対応するサブキャリアの周波数とに従って、全帯域幅における基準ＲＲＵにおける基準チャネルに対するプリセットＲＲＵにおけるプリセットチャネルの較正係数の初期位相および遅延を決定するように構成される。
【０２０５】
任意選択で、処理ユニット１２１０はさらに、初期位相と、遅延と、Ｎ個のサブキャリアのうちの各サブキャリアの周波数ｆｎとに従って、全帯域幅における基準ＲＲＵにおける基準チャネルに対するプリセットＲＲＵにおけるプリセットチャネルの較正係数の位相φｆｎを決定するように構成される。１≦ｎ≦Ｎであり、Ｎは整数である。
【０２０６】
処理ユニット１２１０はさらに、位相φｆｎに従って第１の対応関係を決定するように構成される。
【０２０７】
任意選択で、Ｍ個のサブキャリアのうちの任意の２つのサブキャリアの周波数間の差は、予め設定された周波数閾値未満である。
【０２０８】
任意選択で、プリセットＲＲＵは、少なくとも２つのプリセットチャネルを含む。処理ユニット１２１０はさらに、プリセットチャネルに対応するサブキャリア上の、基準ＲＲＵにおける基準チャネルに対する各プリセットチャネルの較正係数を同じ時間ドメインリソースで計算するように構成される。プリセットＲＲＵにおける異なるプリセットチャネルに対応するサブキャリアの周波数は異なる。
【０２０９】
任意選択で、処理ユニット１２１０はさらに、Ｋ個のＲＲＵのうちの少なくとも１つのＲＲＵと他のＲＲＵとの間の信号品質値が予め設定された閾値よりも大きい場合、Ｋ個のＲＲＵのうちの他のＲＲＵとの間で最大信号品質値を有するＲＲＵを基準ＲＲＵとして用い、基準ＲＲＵにおける任意のチャネルを基準チャネルとして用い、Ｋ個のＲＲＵのうちの他のＲＲＵをプリセットＲＲＵとして用いるように構成され、Ｋ≧３であり、Ｋは整数である。
【０２１０】
任意選択で、少なくとも２つのプリセットＲＲＵが含まれる。処理ユニット１２１０はさらに、プリセットＲＲＵにおけるプリセットチャネルに対応するサブキャリア上の、基準ＲＲＵにおける基準チャネルに対する各プリセットＲＲＵにおけるプリセットチャネルの較正係数を同じ時間ドメインリソースで計算するように構成される。異なるプリセットＲＲＵにおけるプリセットチャネルに対応するサブキャリアの周波数は異なる。
【０２１１】
任意選択で、処理ユニット１２１０はさらに、Ｋ個のＲＲＵのうちの各ＲＲＵと２つの近接するＲＲＵとの間の信号品質値が予め設定された閾値よりも大きい場合、Ｋ個のＲＲＵのうちの１つおきのＲＲＵを基準ＲＲＵとして用い、基準ＲＲＵにおける任意のチャネルを基準チャネルとして用い、Ｋ個のＲＲＵのうちの他のＲＲＵをプリセットＲＲＵとして用いるように構成される。各基準ＲＲＵは、基準ＲＲＵに隣接する２つのＲＲＵに対応する基準ＲＲＵであり、Ｋ≧３である。
【０２１２】
処理ユニット１２１０はさらに、プリセットＲＲＵにおけるプリセットチャネルに対応する基準ＲＲＵにおける基準チャネルに対するプリセットＲＲＵにおけるプリセットチャネルの第１の対応関係に従って、一次基準ＲＲＵにおける基準チャネルに対する各プリセットＲＲＵにおけるプリセットチャネルの第２の対応関係を決定するように構成される。第２の対応関係は、全帯域幅における各サブキャリアの周波数と第２の較正係数との間の対応関係を含み、第２の較正係数は、サブキャリア上の、一次基準ＲＲＵにおける基準チャネルに対するプリセットＲＲＵにおけるプリセットチャネルの較正係数であり、一次基準ＲＲＵは、Ｋ個のＲＲＵのうちの任意のＲＲＵである。
【０２１３】
処理ユニット１２１０はさらに、決定された第２の対応関係に従って、各サブキャリア上の、プリセットＲＲＵにおけるプリセットチャネルの送受信応答比を較正するように構成される。
【０２１４】
任意選択で、少なくとも２つのプリセットＲＲＵが含まれる。処理ユニット１２１０はさらに、プリセット基準チャネルに対する各プリセットＲＲＵにおけるプリセットチャネルの較正係数を同じ時間ドメインリソースで計算するように構成され、較正係数は、プリセットＲＲＵにおけるプリセットチャネルに対応するサブキャリア上の、プリセット基準チャネルに対するプリセットＲＲＵにおけるプリセットチャネルの較正係数であり、プリセット基準チャネルは、プリセットＲＲＵに対応する基準ＲＲＵにおける基準チャネルであり、異なるプリセットＲＲＵにおけるプリセットチャネルに対応するサブキャリアの周波数は異なる。
【０２１５】
任意選択で、プリセットＲＲＵにおけるプリセットチャネルに対応するＭ個のサブキャリアの周波数は、プリセットＲＲＵが位置するクラスタに隣接するクラスタにおけるＲＲＵにおけるチャネルに対応するサブキャリアの周波数とは異なり、クラスタが、チャネルの必要送受信応答比が同じであるＲＲＵのセットである。
【０２１６】
任意選択で、処理ユニット１２１０はさらに、全帯域幅におけるＪ個のサブキャリアのうちの各サブキャリアについて、サブキャリア上の、基準ＲＲＵにおける基準チャネルに対するプリセットＲＲＵにおけるプリセットチャネルの較正係数を計算するように構成される。１≦Ｊ≦Ｎであり、Ｊは整数である。
【０２１７】
任意選択で、処理ユニット１２１０はさらに、Ｊ個の較正係数の初期位相に従って、全帯域幅における基準ＲＲＵにおける基準チャネルに対するプリセットＲＲＵにおけるプリセットチャネルの較正係数の更新済み初期位相を決定するように構成される。
【０２１８】
処理ユニット１２１０はさらに、更新済み初期位相および遅延に従って第１の対応関係を更新するように構成される。
【０２１９】
結論として、本発明の実施形態において提供されるＲＲＵ間でチャネルを較正するための装置によれば、ＢＢＵは、基準チャネルおよびプリセットＲＲＵにおけるプリセットチャネルを用いることにより全帯域幅におけるいくつかサブキャリア上で較正信号を送受信して較正係数を得るよう基準ＲＲＵに命令するだけでよい。これにより、ＢＢＵは、全帯域幅における基準ＲＲＵにおける基準チャネルに対するプリセットＲＲＵにおけるプリセットチャネルの較正係数を決定し、全帯域幅におけるプリセットＲＲＵにおけるプリセットチャネルの送受信応答比を較正し得る。これにより、ＲＲＵ間でのチャネルの較正中に各サブキャリア上で較正信号が送受信される必要があるという理由で発生する、リソース消費が比較的多いという問題が解決され、リソース消費が減少する。加えて、較正信号は、いくつかのサブキャリア上でのみ伝送される必要があり、それにより、較正信号の電力が減少する。
【０２２０】
文脈上別段の明確な指定がない限り、本明細書において用いられる「ある（ａ）」（「１つの（ａ）」、「一（ａｎ）」、「その（ｔｈｅ）」）という単数形は、複数形も含むよう意図されていることが理解されるべきである。本明細書において用いられる「および／または」は、１または複数の記載される関連事項を含む、任意のまたは全ての可能な組み合わせであることがさらに理解されるべきである。
【０２２１】
前述の本発明の実施形態の連続番号は、例示を目的としているに過ぎず、実施形態の優先度を示すことは意図されていない。
【０２２２】
当業者であれば、実施形態の段階の全てまたはいくつかは、ハードウェアまたは関連するハードウェアに命令するプログラムにより実装され得ることを理解し得る。プログラムは、コンピュータ可読記憶媒体に格納され得る。記憶媒体は、リードオンリメモリ、磁気ディスクまたは光ディスクを含み得る。
【０２２３】
前述の説明は、本発明の例示的な実施形態に過ぎず、本発明を限定することは意図されていない。本発明の趣旨および原則から逸脱することなくなされるあらゆる修正、同等な置換、および改良は、本発明の保護範囲内に含まれるものとする。
【図１】
2019518381.tif 000021
【図２】
2019518381.tif 000022
【図３】
2019518381.tif 000023
【図４】
2019518381.tif 000024
【図５】
2019518381.tif 000025
【図６】
2019518381.tif 000026
【図７】
2019518381.tif 000027
【図８Ａ】
2019518381.tif 000028
【図８Ｂ】
2019518381.tif 000029
【図９】
2019518381.tif 000030
【図１０】
2019518381.tif 000031
【図１１】
2019518381.tif 000032
【図１２】
2019518381.tif 000033
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
無線リモートユニット（ＲＲＵ）間でチャネルを較正するための方法であって、
全帯域幅におけるＭ個のサブキャリアのうちの各サブキャリアについて、ベースバンドユニット（ＢＢＵ）が、基準チャネルおよびプリセットＲＲＵにおけるプリセットチャネルを用いることにより較正信号を前記サブキャリア上で送受信するよう基準ＲＲＵに命令し、前記ＢＢＵが、前記サブキャリア上の、前記基準ＲＲＵにおける前記基準チャネルに対する前記プリセットＲＲＵにおける前記プリセットチャネルの較正係数を計算する段階であって、２≦Ｍ＜Ｎであり、Ｎは前記全帯域幅におけるサブキャリアの総数であり、ＭおよびＮの両方は整数である、段階と、
前記ＢＢＵが、計算によって得たＭ個の較正係数に従って第１の対応関係を決定する段階であって、前記第１の対応関係は、前記全帯域幅における各サブキャリアの周波数と第１の較正係数との間の対応関係を含み、前記第１の較正係数は、前記サブキャリア上の、前記基準ＲＲＵにおける前記基準チャネルに対する前記プリセットＲＲＵにおける前記プリセットチャネルの前記較正係数である、段階と、
前記ＢＢＵが、前記第１の対応関係に従って、各サブキャリア上の、前記プリセットＲＲＵにおける前記プリセットチャネルの送受信応答比を較正する段階と
を備える方法。
【請求項２】
前記ＢＢＵが、計算によって得たＭ個の較正係数に従って第１の対応関係を決定する前記段階は、
前記ＢＢＵが、前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定する段階と、
前記ＢＢＵが、前記初期位相および前記遅延に従って前記第１の対応関係を決定する段階と
を有する、
請求項１に記載の方法。
【請求項３】
前記ＢＢＵが、前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定する前記段階は、
前記Ｍ個の較正係数のうちの各較正係数について、前記ＢＢＵが前記較正係数の位相を決定する段階と、
前記ＢＢＵが、Ｍ個の位相と、各較正係数に対応する前記サブキャリアの周波数とに従って、前記全帯域幅における前記基準ＲＲＵにおける前記基準チャネルに対する前記プリセットＲＲＵにおける前記プリセットチャネルの前記較正係数の前記初期位相および前記遅延を決定する段階と
を有する、
請求項２に記載の方法。
【請求項４】
前記ＢＢＵが、前記初期位相および前記遅延に従って前記第１の対応関係を決定する前記段階は、
前記ＢＢＵが、前記初期位相と、前記遅延と、Ｎ個の前記サブキャリアのうちの各サブキャリアの周波数ｆｎとに従って、前記全帯域幅における前記基準ＲＲＵにおける前記基準チャネルに対する前記プリセットＲＲＵにおける前記プリセットチャネルの前記較正係数の位相φｆｎを決定する段階であって、１≦ｎ≦Ｎであり、ｎは整数である、段階と、
前記ＢＢＵが前記位相φｆｎに従って前記第１の対応関係を決定する段階と
を有する、
請求項２または３に記載の方法。
【請求項５】
前記Ｍ個のサブキャリアのうちの任意の２つのサブキャリアの周波数間の差が、予め設定された周波数閾値未満である、
請求項１から４のいずれか一項に記載の方法。
【請求項６】
前記プリセットＲＲＵは、少なくとも２つのプリセットチャネルを含み、
前記ＢＢＵが、前記サブキャリア上の、前記基準ＲＲＵにおける前記基準チャネルに対する前記プリセットＲＲＵにおける前記プリセットチャネルの較正係数を計算する前記段階は、
前記ＢＢＵが、前記プリセットチャネルに対応する前記サブキャリア上の、前記基準ＲＲＵにおける前記基準チャネルに対する各プリセットチャネルの較正係数を同じ時間ドメインリソースで計算する段階であって、前記プリセットＲＲＵにおける異なるプリセットチャネルに対応するサブキャリアの周波数は異なる、段階
を有する、
請求項１から４のいずれか一項に記載の方法。
【請求項７】
Ｋ個のＲＲＵのうちの少なくとも１つのＲＲＵと他のＲＲＵとの間の信号品質値が予め設定された閾値よりも大きい場合、前記ＢＢＵが、前記Ｋ個のＲＲＵのうちの他のＲＲＵとの間で最大信号品質値を有するＲＲＵを前記基準ＲＲＵとして用い、前記基準ＲＲＵにおける任意のチャネルを前記基準チャネルとして用い、前記Ｋ個のＲＲＵのうちの前記他のＲＲＵを前記プリセットＲＲＵとして用いる段階であって、Ｋ≧３であり、Ｋは整数である、段階をさらに備える、
請求項１から６のいずれか一項に記載の方法。
【請求項８】
少なくとも２つのプリセットＲＲＵが含まれ、
前記ＢＢＵが、前記サブキャリア上の、前記基準ＲＲＵにおける前記基準チャネルに対する前記プリセットＲＲＵにおける前記プリセットチャネルの較正係数を計算する前記段階は、
前記ＢＢＵが、前記プリセットＲＲＵにおける前記プリセットチャネルに対応する前記サブキャリア上の、前記基準ＲＲＵにおける前記基準チャネルに対する各プリセットＲＲＵにおける前記プリセットチャネルの較正係数を前記同じ時間ドメインリソースで計算する段階であって、異なるプリセットＲＲＵにおける前記プリセットチャネルに対応するサブキャリアの周波数は異なる、段階
を有する、
請求項６に記載の方法。
【請求項９】
Ｋ個のＲＲＵのうちの各ＲＲＵと２つの近接するＲＲＵとの間の信号品質値が予め設定された閾値よりも大きい場合、前記ＢＢＵが、前記Ｋ個のＲＲＵのうちの１つおきのＲＲＵを前記基準ＲＲＵとして用い、前記基準ＲＲＵにおける任意のチャネルを前記基準チャネルとして用い、前記Ｋ個のＲＲＵのうちの他のＲＲＵを前記プリセットＲＲＵとして用いる段階であって、各基準ＲＲＵは、前記基準ＲＲＵに隣接する２つのＲＲＵに対応する基準ＲＲＵであり、Ｋ≧３である、段階
をさらに備え、
前記ＢＢＵが、前記第１の対応関係に従って、各サブキャリア上の、前記プリセットＲＲＵにおける前記プリセットチャネルの送受信応答比を較正する前記段階は、
前記ＢＢＵが、前記プリセットＲＲＵにおける前記プリセットチャネルに対応する基準ＲＲＵにおける基準チャネルに対する前記プリセットＲＲＵにおける前記プリセットチャネルの前記第１の対応関係に従って、一次基準ＲＲＵにおける前記基準チャネルに対する各プリセットＲＲＵにおける前記プリセットチャネルの第２の対応関係を決定する段階であって、前記第２の対応関係は、前記全帯域幅における各サブキャリアの前記周波数と第２の較正係数との間の対応関係を含み、前記第２の較正係数は、前記サブキャリア上の、前記一次基準ＲＲＵにおける前記基準チャネルに対する前記プリセットＲＲＵにおける前記プリセットチャネルの較正係数であり、前記一次基準ＲＲＵは、前記Ｋ個のＲＲＵのうちの任意のＲＲＵである、段階と、
前記ＢＢＵが、決定された前記第２の対応関係に従って、各サブキャリア上の、前記プリセットＲＲＵにおける前記プリセットチャネルの前記送受信応答比を較正する段階と
を有する、
請求項１から６のいずれか一項に記載の方法。
【請求項１０】
少なくとも２つのプリセットＲＲＵが含まれ、
前記ＢＢＵが、前記サブキャリア上の、前記基準ＲＲＵにおける前記基準チャネルに対する前記プリセットＲＲＵにおける前記プリセットチャネルの較正係数を計算する前記段階は、
前記ＢＢＵが、プリセット基準チャネルに対する各プリセットＲＲＵにおける前記プリセットチャネルの較正係数を同じ時間ドメインリソースで計算する段階であって、前記較正係数は、前記プリセットＲＲＵにおける前記プリセットチャネルに対応するサブキャリア上の、前記プリセット基準チャネルに対する前記プリセットＲＲＵにおける前記プリセットチャネルの較正係数であり、前記プリセット基準チャネルは、前記プリセットＲＲＵに対応する基準ＲＲＵにおける基準チャネルであり、異なるプリセットＲＲＵにおける前記プリセットチャネルに対応するサブキャリアの周波数は異なる、段階
を有する、
請求項９に記載の方法。
【請求項１１】
前記プリセットＲＲＵにおける前記プリセットチャネルに対応する前記Ｍ個のサブキャリアの周波数は、前記プリセットＲＲＵが位置するクラスタに隣接するクラスタにおけるＲＲＵにおけるチャネルに対応するサブキャリアの周波数とは異なり、クラスタは、チャネルの必要送受信応答比が同じであるＲＲＵのセットである、
請求項１から１０のいずれか一項に記載の方法。
【請求項１２】
前記全帯域幅におけるＪ個のサブキャリアのうちの各サブキャリアについて、前記サブキャリア上の、前記基準ＲＲＵにおける前記基準チャネルに対する前記プリセットＲＲＵにおける前記プリセットチャネルの較正係数を計算する段階であって、１≦Ｊ≦Ｎであり、Ｊは整数である、段階と、
Ｊ個の較正係数の初期位相に従って、前記全帯域幅における前記基準ＲＲＵにおける前記基準チャネルに対する前記プリセットＲＲＵにおける前記プリセットチャネルの前記較正係数の更新済み初期位相を決定する段階と、
前記更新済み初期位相および前記遅延に従って前記第１の対応関係を更新する段階と
をさらに備える、
請求項２から１１のいずれか一項に記載の方法。
【請求項１３】
無線リモートユニット（ＲＲＵ）間でチャネルを較正するための装置であって、
プロセッサと、前記プロセッサに接続されたメモリとを備え、
前記メモリは、少なくとも１つの命令を格納するように構成され、
前記命令は、命令後に前記プロセッサにより実行され、
前記プロセッサは、全帯域幅におけるＭ個のサブキャリアのうちの各サブキャリアについて、基準チャネルおよびプリセットＲＲＵにおけるプリセットチャネルを用いることにより前記サブキャリア上で較正信号を送受信するよう基準ＲＲＵに命令し、前記サブキャリア上の、前記基準ＲＲＵにおける前記基準チャネルに対する前記プリセットＲＲＵにおける前記プリセットチャネルの較正係数を計算するように構成され、２≦Ｍ＜Ｎであり、Ｎは前記全帯域幅におけるサブキャリアの総数であり、ＭおよびＮの両方は整数であり、
前記プロセッサはさらに、計算によって得たＭ個の較正係数に従って第１の対応関係を決定するように構成され、前記第１の対応関係は、前記全帯域幅における各サブキャリアの周波数と第１の較正係数との間の対応関係を含み、前記第１の較正係数は、前記サブキャリア上の、前記基準ＲＲＵにおける前記基準チャネルに対する前記プリセットＲＲＵにおける前記プリセットチャネルの前記較正係数であり、
前記プロセッサはさらに、前記第１の対応関係に従って各サブキャリア上の、前記プリセットＲＲＵにおける前記プリセットチャネルの送受信応答比を較正するように構成される、
装置。
【請求項１４】
前記プロセッサはさらに、
前記Ｍ個の較正係数に従って、前記全帯域幅における前記基準ＲＲＵにおける前記基準チャネルに対する前記プリセットＲＲＵにおける前記プリセットチャネルの較正係数の初期位相および遅延を決定し、
前記初期位相および前記遅延に従って前記第１の対応関係を決定する
ように構成される、
請求項１３に記載の装置。
【請求項１５】
前記プロセッサはさらに、
前記Ｍ個の較正係数のうちの各較正係数について、前記較正係数の位相を決定し、
Ｍ個の位相と、各較正係数に対応するサブキャリアの周波数とに従って、前記全帯域幅における前記基準ＲＲＵにおける前記基準チャネルに対する前記プリセットＲＲＵにおける前記プリセットチャネルの前記較正係数の前記初期位相および前記遅延を決定する
ように構成される、
請求項１４に記載の装置。
【請求項１６】
前記プロセッサはさらに、
前記初期位相と、前記遅延と、Ｎ個の前記サブキャリアのうちの各サブキャリアの周波数ｆｎとに従って、前記全帯域幅における前記基準ＲＲＵにおける前記基準チャネルに対する前記プリセットＲＲＵにおける前記プリセットチャネルの前記較正係数の位相φｆｎを決定し、前記位相φｆｎに従って前記第１の対応関係を決定するように構成され、１≦ｎ≦Ｎであり、Ｎは整数である、
請求項１４または１５に記載の装置。
【請求項１７】
前記Ｍ個のサブキャリアのうちの任意の２つのサブキャリアの周波数間の差は、予め設定された周波数閾値未満である、
請求項１３から１６のいずれか一項に記載の装置。
【請求項１８】
前記プリセットＲＲＵは、少なくとも２つのプリセットチャネルを含み、
前記プロセッサはさらに、前記プリセットチャネルに対応する前記サブキャリア上の、前記基準ＲＲＵにおける前記基準チャネルに対する各プリセットチャネルの較正係数を同じ時間ドメインリソースで計算するように構成され、
前記プリセットＲＲＵにおける異なるプリセットチャネルに対応するサブキャリアの周波数は異なる、
請求項１３から１６のいずれか一項に記載の装置。
【請求項１９】
前記プロセッサはさらに、Ｋ個のＲＲＵのうちの少なくとも１つのＲＲＵと他のＲＲＵとの間の信号品質値が予め設定された閾値よりも大きい場合、前記Ｋ個のＲＲＵのうちの他のＲＲＵとの間で最大信号品質値を有するＲＲＵを前記基準ＲＲＵとして用い、前記基準ＲＲＵにおける任意のチャネルを前記基準チャネルとして用い、前記Ｋ個のＲＲＵのうちの前記他のＲＲＵを前記プリセットＲＲＵとして用いるように構成され、
Ｋ≧３であり、Ｋは整数である、
請求項１３から１８のいずれか一項に記載の装置。
【請求項２０】
少なくとも２つのプリセットＲＲＵが含まれ、
前記プロセッサはさらに、前記プリセットＲＲＵにおける前記プリセットチャネルに対応する前記サブキャリア上の、前記基準ＲＲＵにおける前記基準チャネルに対する各プリセットＲＲＵにおける前記プリセットチャネルの較正係数を前記同じ時間ドメインリソースで計算するように構成され、
異なるプリセットＲＲＵにおける前記プリセットチャネルに対応するサブキャリアの周波数は異なる、
請求項１８に記載の装置。
【請求項２１】
前記プロセッサはさらに、Ｋ個のＲＲＵのうちの各ＲＲＵと２つの近接するＲＲＵとの間の信号品質値が予め設定された閾値よりも大きい場合、前記Ｋ個のＲＲＵのうちの１つおきのＲＲＵを前記基準ＲＲＵとして用い、前記基準ＲＲＵにおける任意のチャネルを前記基準チャネルとして用い、前記Ｋ個のＲＲＵのうちの他のＲＲＵを前記プリセットＲＲＵとして用いるように構成され、
各基準ＲＲＵは、前記基準ＲＲＵに隣接する２つのＲＲＵに対応する基準ＲＲＵであり、Ｋ≧３であり、
前記プロセッサはさらに、前記プリセットＲＲＵにおける前記プリセットチャネルに対応する基準ＲＲＵにおける基準チャネルに対する前記プリセットＲＲＵにおける前記プリセットチャネルの前記第１の対応関係に従って、一次基準ＲＲＵにおける前記基準チャネルに対する各プリセットＲＲＵにおける前記プリセットチャネルの第２の対応関係を決定するように構成され、
前記第２の対応関係は、前記全帯域幅における各サブキャリアの前記周波数と第２の較正係数との間の対応関係を含み、前記第２の較正係数は、前記サブキャリア上の、前記一次基準ＲＲＵにおける前記基準チャネルに対する前記プリセットＲＲＵにおける前記プリセットチャネルの較正係数であり、前記一次基準ＲＲＵは、前記Ｋ個のＲＲＵのうちの任意のＲＲＵであり、
前記プロセッサはさらに、決定された前記第２の対応関係に従って、各サブキャリア上の、前記プリセットＲＲＵにおける前記プリセットチャネルの前記送受信応答比を較正するように構成される、
請求項１３から１８のいずれか一項に記載の装置。
【請求項２２】
少なくとも２つのプリセットＲＲＵが含まれ、
前記プロセッサはさらに、プリセット基準チャネルに対する各プリセットＲＲＵにおける前記プリセットチャネルの較正係数を同じ時間ドメインリソースで計算するように構成され、
前記較正係数は、前記プリセットＲＲＵにおける前記プリセットチャネルに対応するサブキャリア上の、前記プリセット基準チャネルに対する前記プリセットＲＲＵにおける前記プリセットチャネルの較正係数であり、
前記プリセット基準チャネルは、前記プリセットＲＲＵに対応する基準ＲＲＵにおける基準チャネルであり、
異なるプリセットＲＲＵにおける前記プリセットチャネルに対応するサブキャリアの周波数は異なる、
請求項２１に記載の装置。
【請求項２３】
前記プリセットＲＲＵにおける前記プリセットチャネルに対応する前記Ｍ個のサブキャリアの周波数は、前記プリセットＲＲＵが位置するクラスタに隣接するクラスタにおけるＲＲＵにおけるチャネルに対応するサブキャリアの周波数とは異なり、クラスタは、チャネルの必要送受信応答比が同じであるＲＲＵのセットである、
請求項１３から２２のいずれか一項に記載の装置。
【請求項２４】
前記プロセッサはさらに、前記全帯域幅におけるＪ個のサブキャリアのうちの各サブキャリアについて、前記サブキャリア上の、前記基準ＲＲＵにおける前記基準チャネルに対する前記プリセットＲＲＵにおける前記プリセットチャネルの較正係数を計算するように構成され、１≦Ｊ≦Ｎであり、Ｊは整数であり、
前記プロセッサはさらに、Ｊ個の較正係数の初期位相に従って、前記全帯域幅における前記基準ＲＲＵにおける前記基準チャネルに対する前記プリセットＲＲＵにおける前記プリセットチャネルの前記較正係数の更新済み初期位相を決定するように構成され、
前記プロセッサはさらに、前記更新済み初期位相および前記遅延に従って前記第１の対応関係を更新するように構成される、
請求項１４から２３のいずれか一項に記載の装置。
【手続補正３】
【補正対象書類名】明細書
【補正対象項目名】０００２
【補正方法】変更
【補正の内容】
【０００２】
共同伝送（Ｊｏｉｎｔ  Ｔｒａｎｓｍｉｓｓｉｏｎ、ＪＴ）技術において、信号を同じ端末装置へ連携して送信するために用いられる複数のセルが、協調セルセットを形成する。協調セルセットにおける各セルは協調セルである。基地局が、複数の協調セルの複数のチャネルを用いることにより、この信号を端末装置へ送信する。時分割複信（Ｔｉｍｅ  Ｄｉｖｉｓｉｏｎ  Ｄｕｐｌｅｘｉｎｇ、ＴＤＤ）モードでは、ＴＤＤモードにおけるアップリンクチャネルおよびダウンリンクチャネルの相反性に従って、協調セルの当該チャネルを用いることにより送信される信号に対して、端末装置側で同相加算が実行される。これにより、が端末装置の受信した信号の品質が改善され、システムのスループットが改善される。実際のシステムでは、基地局の異なるチャネルが、アップリンクチャネルおよびダウンリンクチャネル用にそれぞれ導入され、これらチャネルは通常、異なる応答を有する。従って、ＴＤＤモードにおけるアップリンクチャネルおよびダウンリンクチャネルの相反性を保証するために、これらのチャネルは、アンテナに対応する送受信チャネルの応答比が同じになるように較正される必要がある。
【手続補正４】
【補正対象書類名】明細書
【補正対象項目名】００４４
【補正方法】変更
【補正の内容】
【００４４】
実施形態において提供されるＲＲＵ間でチャネルを較正するための方法におけるＲＲＵは、分散型基地局におけるＲＲＵである。図１は、分散型基地局の概略構造図を示す。分散型基地局は、ＢＢＵ１２０と、ＲＲＵ０  １４１と、ＲＲＵ１  １４２とを含む。
【手続補正５】
【補正対象書類名】明細書
【補正対象項目名】００５１
【補正方法】変更
【補正の内容】
【００５１】
任意選択で、分散型基地局は、ＲＲＵに対応する結合回路をさらに含む。結合回路は、較正用結合ディスクとも称される。結合回路は、結合回路に対応するＲＲＵに対して自己較正を実行するように構成される。具体的には、結合回路は、結合回路に対応するＲＲＵにおけるチャネルを介して送信された較正信号に対してループバックを実行するように構成されるか、または、結合回路に対応するＲＲＵにおけるチャネルに較正信号の電力を受信のために割り当てるように構成される。例えば、図１に示されるように、ＲＲＵ０  １４１に対応する結合回路０  １６１は、ＲＲＵ０  １４１に含まれるチャネル０からチャネルＡを介して伝送された較正信号に対してループバックまたは電力割り当てを実行するように構成される。ＲＲＵ１  １４２に対応する結合回路１  １６２は、ＲＲＵ１  １４２に含まれるチャネル０からチャネルＢを介して伝送された較正信号に対してループバックまたは電力割り当てを実行するように構成される。
【手続補正６】
【補正対象書類名】明細書
【補正対象項目名】００５４
【補正方法】変更
【補正の内容】
【００５４】
別の実現形態において、基準ＲＲＵおよびプリセットＲＲＵは、異なる分散型基地局におけるＲＲＵであり得る。基準ＲＲＵおよびプリセットＲＲＵは、異なるＢＢＵに別々に接続されている。基準ＲＲＵに接続されたＢＢＵは、基準ＲＲＵについての命令を提供し、基準ＲＲＵとの信号伝送を実行する。プリセットＲＲＵに接続されたＢＢＵは、プリセットＲＲＵについての命令を提供し、プリセットＲＲＵとの信号伝送を実行する。基準ＲＲＵに接続されたＢＢＵは、プリセットＲＲＵに接続されたＢＢＵとの信号伝送を実行し得る。
【手続補正７】
【補正対象書類名】明細書
【補正対象項目名】００８２
【補正方法】変更
【補正の内容】
【００８２】
５．  ＢＢＵが、基準ＲＲＵが基準チャネルを用いることにより送信した較正信号Ｓ１と、プリセットＲＲＵがプリセットチャネルを用いることにより受信した較正信号Ｙ１と、プリセットＲＲＵがプリセットチャネルを用いることにより送信した較正信号Ｓ２と、基準ＲＲＵが基準チャネルを用いることにより受信した較正信号Ｙ２とに従って、サブキャリア上の、基準ＲＲＵにおける基準チャネルに対するプリセットＲＲＵにおけるプリセットチャネルの較正係数αを計算する。較正係数αは、サブキャリアに対応する。
【数２】
2019518381.tif 000034
【手続補正８】
【補正対象書類名】明細書
【補正対象項目名】０１２５
【補正方法】変更
【補正の内容】
【０１２５】
任意選択で、前述の実施形態に基づく別の任意の実施形態において、図１に示されるＲＲＵ間でチャネルを較正するためのシステムは、Ｋ個のＲＲＵを含み得る。Ｋ個のＲＲＵのうちの少なくとも１つのＲＲＵと他のＲＲＵとの間の信号品質値は、予め設定された閾値よりも大きい。Ｋ個のＲＲＵはスター型構造を形成し、Ｋ個のＲＲＵは１つの基準ＲＲＵおよび少なくとも２つのプリセットＲＲＵを含む。Ｋ≧３であり、Ｋは整数である。図５は、ＲＲＵ間でチャネルを較正するためのシステムが６つのＲＲＵを含み、６つのＲＲＵがスター型構造を形成する概略図の一例を示す。
【手続補正９】
【補正対象書類名】明細書
【補正対象項目名】０１４８
【補正方法】変更
【補正の内容】
【０１４８】
任意選択で、前述の実施形態に基づく別の任意の実施形態において、図１に示されるＲＲＵ間でチャネルを較正するためのシステムは、Ｋ個のＲＲＵを含み得る。Ｋ個のＲＲＵのうちの各ＲＲＵと２つの近接するＲＲＵとの間の信号品質値は、予め設定された閾値よりも大きい。Ｋ個のＲＲＵはチェーン構造を形成する。Ｋ≧３であり、Ｋは整数である。図７は、ＲＲＵ間でチャネルを較正するためのシステムが６つのＲＲＵを含み、６つのＲＲＵがチェーン構造を形成する概略図の一例を示す。
【国際調査報告】
2019518381.tif 000035
2019518381.tif 000036
2019518381.tif 000037
2019518381.tif 000038